(57)【要約】  ワイヤレス通信のための方法、システム、およびデバイスについて説明する。いくつかのワイヤレス通信システムでは、デバイスは、受信信頼性を改善するために、トランスポートブロック(TB)の送信反復を実装し得る。しかしながら、低レイテンシをサポートするために、TBは、サブフレーム内の任意の送信時間間隔(TTI)において送信され得る。システムは、これらのTB反復を処理するためのプロセスを実装し得る。いくつかの場合、デバイスは、サブフレームのTTIの間に、複数のTTIに対するTBの送信反復の指示を含む制御情報を受信し、制御情報に基づいてTBの送信反復の量を識別し、TBの送信反復を監視し得る。
2021523605.tif 000002
【特許請求の範囲】
【請求項１】
ワイヤレスデバイスにおけるワイヤレス通信のための方法であって、
サブフレームの送信時間間隔(TTI)の間に、複数のTTIに対するトランスポートブロック(TB)の送信反復の指示を含む制御情報を受信するステップと、
前記制御情報に少なくとも部分的に基づいて前記TBの送信反復の量を識別するステップと、
前記識別に少なくとも部分的に基づいて前記TBの前記送信反復を監視するステップとを含む、
方法。
【請求項２】
制御フォーマットインジケータ(CFI)フィールドが2の値を有することに少なくとも部分的に基づいて、第2のTTIが前記送信反復のうちの1つを送信するために使用されないと決定するステップをさらに含む、
請求項1に記載の方法。
【請求項３】
前記制御情報に関連付けられた制御フォーマットインジケータ(CFI)のフィールドにおける値を識別するステップと、
前記CFIの前記フィールドにおける前記値に少なくとも部分的に基づいて、第2のTTIが前記TBの前記送信反復のうちの1つを送信するために利用可能ではないと決定するステップとをさらに含む、
請求項1に記載の方法。
【請求項４】
前記CFIの前記フィールドにおける前記値が、2である、
請求項3に記載の方法。
【請求項５】
前記第2のTTIが、ミニスロットである、
請求項3に記載の方法。
【請求項６】
前記TBの前記送信反復を監視するステップが、
前記TBの前記送信反復について物理ダウンリンク共有チャネル(PDSCH)を監視するステップを含む、
請求項3に記載の方法。
【請求項７】
前記制御情報に少なくとも部分的に基づいて、TTIインデックスに関連付けられた初期TTIが前記TBの前記送信反復に関連付けられた初期送信に利用可能であるかどうかを決定するステップをさらに含む、
請求項1に記載の方法。
【請求項８】
前記制御情報に関連付けられた制御フォーマットインジケータ(CFI)のフィールドにおける値を識別するステップであって、前記初期TTIが前記初期送信に利用可能であるかどうかを決定するステップが、前記CFIの前記フィールドにおける前記値にさらに少なくとも部分的に基づく、ステップをさらに含む、
請求項7に記載の方法。
【請求項９】
前記CFIの前記フィールドにおける前記値に少なくとも部分的に基づいて、前記TTIインデックスに関連付けられた前記初期TTIが前記初期送信に利用不可能であると決定するステップと、
前記初期送信を前記初期TTIの後の第2のTTIに遅延させるステップとをさらに含む、
請求項8に記載の方法。
【請求項１０】
前記CFIの前記フィールドにおける前記値に少なくとも部分的に基づいて、前記TTIインデックスに関連付けられた前記初期TTIが前記初期送信に利用不可能であると決定するステップと、
前記初期TTIが利用不可能であるとの決定に少なくとも部分的に基づいて、前記初期TTIをパンクチャするステップと、
前記初期TTIの後の第2のTTIの間に、前記送信反復の量の後続のTB送信を監視するステップとをさらに含む、
請求項8に記載の方法。
【請求項１１】
前記CFIが、動的にまたは半静的に受信される、
請求項8に記載の方法。
【請求項１２】
前記CFIが、物理制御フォーマットインジケータチャネル(PCFICH)上でまたは上位レイヤシグナリングを介して受信される、
請求項8に記載の方法。
【請求項１３】
初期送信のTTIインデックスおよび前記制御情報に少なくとも部分的に基づいて、前記送信反復の一部分がサブフレーム境界にまたがると決定するステップと、
前記ワイヤレスデバイスがサブフレーム境界にまたがることをサポートするように構成されると識別するステップと、
第2のサブフレームにおける利用可能なTTIの量を識別するステップとをさらに含む、
請求項1に記載の方法。
【請求項１４】
前記利用可能なTTIの量を識別したことに少なくとも部分的に基づいて、物理ダウンリンク共有チャネル(PDSCH)が前記第2のサブフレームにおけるTTIのリソースにマッピングされないと決定するステップと、
前記PDSCHが前記TTIにマッピングされないことに少なくとも部分的に基づいて、前記第2のサブフレームにおける前記TTIをパンクチャするステップと、
前記パンクチャに少なくとも部分的に基づいて、前記第2のサブフレームの間に前記送信反復の前記一部分を監視するステップとをさらに含む、
請求項13に記載の方法。
【請求項１５】
前記送信反復の各TB送信が、反復ウィンドウの異なるTTIにおいて監視される、
請求項1に記載の方法。
【請求項１６】
前記TBの前記送信反復に関連付けられた初期送信のためのTTIインデックスを識別するステップと、
前記初期送信の前記TTIインデックスおよび前記制御情報に少なくとも部分的に基づいて、前記送信反復の一部分がサブフレーム境界にまたがると決定するステップと、
前記サブフレーム境界にまたがる前記送信反復の前記一部分を監視するステップとをさらに含む、
請求項1に記載の方法。
【請求項１７】
前記ワイヤレスデバイスがサブフレーム境界にまたがることをサポートするように構成されないと識別するステップと、
前記TBの前記送信反復のための利用可能なTTIの量を決定するステップであって、前記TBの前記送信反復を監視するステップが、前記利用可能なTTIの量にさらに少なくとも部分的に基づく、ステップとをさらに含む、
請求項1に記載の方法。
【請求項１８】
前記利用可能なTTIの量が前記TBの前記送信反復の量に対する前記複数のTTIを下回ると決定するステップと、
前記利用可能なTTIの量の最終TTIの後に前記複数のTTIのうちの少なくとも1つを監視するのを中断するステップとをさらに含む、
請求項17に記載の方法。
【請求項１９】
ダウンリンク制御情報(DCI)において受信された指示に少なくとも部分的に基づいて、前記利用可能なTTIの量の最終TTIまで前記TBの前記送信反復を監視することを決定するステップをさらに含む、
請求項17に記載の方法。
【請求項２０】
前記ワイヤレスデバイスの構成を識別するステップと、
前記構成に少なくとも部分的に基づいて、前記ワイヤレスデバイスがサブフレーム境界にまたがることをサポートするように構成されるかどうかを決定するステップとをさらに含む、
請求項1に記載の方法。
【請求項２１】
前記構成を識別するステップが、前記ワイヤレスデバイスの能力に少なくとも部分的に基づき、前記能力が、復調基準信号(DMRS)共有能力、DMRS結合能力、構成シグナリング、またはサブフレーム境界のそれぞれの側のTTIに対するDMRS共有能力もしくは前記DMRS結合能力の指示、あるいはそれらの組合せを含む、
請求項20に記載の方法。
【請求項２２】
前記ワイヤレスデバイスの構成を識別するステップと、
前記構成に少なくとも部分的に基づいて、前記ワイヤレスデバイスが拡張干渉緩和およびトラフィック適応(eIMTA)境界にまたがることをサポートするように構成されるかどうかを決定するステップとをさらに含む、
請求項1に記載の方法。
【請求項２３】
前記構成を識別するステップが、前記ワイヤレスデバイスの能力に少なくとも部分的に基づき、前記能力が、復調基準信号(DMRS)共有能力、DMRS結合能力、構成シグナリング、またはサブフレーム境界のそれぞれの側のTTIに対するDMRS共有能力もしくは前記DMRS結合能力の指示、あるいはそれらの組合せを含む、
請求項22に記載の方法。
【請求項２４】
前記制御情報に少なくとも部分的に基づいて前記サブフレームのサブフレーム構成を決定するステップと、
前記サブフレーム構成に少なくとも部分的に基づいて、前記送信反復の一部分がeIMTA境界にまたがると決定するステップとをさらに含む、
請求項22に記載の方法。
【請求項２５】
前記サブフレーム構成に少なくとも部分的に基づいて、前記ワイヤレスデバイスが前記eIMTA境界にまたがることをサポートするように構成されないと識別するステップであって、前記TBの前記送信反復を監視するステップが、前記ワイヤレスデバイスが前記eIMTA境界にまたがることをサポートするように構成されないことに少なくとも部分的に基づいて、前記eIMTA境界の後に行われる前記送信反復の前記一部分を監視するのを中断するステップをさらに含む、ステップをさらに含む、
請求項24に記載の方法。
【請求項２６】
前記ワイヤレスデバイスが前記eIMTA境界にまたがることをサポートするように構成されないことに少なくとも部分的に基づいて、前記TBの前記送信反復のための利用可能なTTIの量を決定するステップであって、前記TBの前記送信反復を監視するステップが、前記利用可能なTTIの量にさらに少なくとも部分的に基づく、ステップをさらに含む、
請求項25に記載の方法。
【請求項２７】
前記利用可能なTTIの量が前記TBの前記送信反復の量に対する前記複数のTTIを下回ると決定するステップと、
前記利用可能なTTIの量の最終TTIの後に前記複数のTTIのうちの少なくとも1つを監視するのを中断するステップとをさらに含む、
請求項26に記載の方法。
【請求項２８】
前記サブフレーム構成に少なくとも部分的に基づいて、前記ワイヤレスデバイスが前記eIMTA境界にまたがることをサポートするように構成されると識別するステップであって、前記TBの前記送信反復を監視するステップが、前記ワイヤレスデバイスが前記eIMTA境界にまたがることをサポートするように構成されることに少なくとも部分的に基づいて、前記eIMTA境界の後に行われる前記送信反復の前記一部分を監視するステップをさらに含む、ステップをさらに含む、
請求項24に記載の方法。
【請求項２９】
前記TBの前記送信反復に関連付けられた初期送信のためのTTIインデックスを識別するステップと、
前記初期送信の前記TTIインデックスおよび前記制御情報に少なくとも部分的に基づいて、前記送信反復の前記一部分が前記eIMTA境界にまたがると決定するステップと、
前記サブフレーム構成に少なくとも部分的に基づいて、前記eIMTA境界にまたがる前記送信反復の前記一部分を監視するステップとをさらに含む、
請求項28に記載の方法。
【請求項３０】
前記ワイヤレスデバイスが前記eIMTA境界にまたがることをサポートするように構成されることに少なくとも部分的に基づいて、第2のサブフレームにおける利用可能なTTIの量を識別するステップと、
前記利用可能なTTIの量を識別したことに少なくとも部分的に基づいて、物理ダウンリンク共有チャネル(PDSCH)が前記第2のサブフレームにおけるTTIのリソースにマッピングされないと決定するステップと、
前記PDSCHが前記TTIにマッピングされないことに少なくとも部分的に基づいて、前記第2のサブフレームにおける前記TTIをパンクチャするステップと、
前記パンクチャに少なくとも部分的に基づいて、前記第2のサブフレームの間に前記送信反復の前記一部分を監視するステップとをさらに含む、
請求項29に記載の方法。
【請求項３１】
前記送信反復の前記一部分が前記サブフレーム構成に関連付けられた特殊切替えサブフレーム(SSF)のアップリンク部分にまたがると決定するステップであって、前記TBの前記送信反復を監視するステップが、前記ワイヤレスデバイスが前記SSFにまたがることをサポートするように構成されないことに少なくとも部分的に基づいて、前記SSFの前記アップリンク部分の後に行われる前記送信反復の前記一部分を監視するのを中断するステップをさらに含む、ステップをさらに含む、
請求項24に記載の方法。
【請求項３２】
前記送信反復の前記一部分が前記サブフレーム構成に関連付けられたアップリンクサブフレームにまたがると決定するステップであって、前記送信反復が、ダウンリンク送信におけるものであり、前記TBの前記送信反復を監視するステップが、前記ワイヤレスデバイスが前記アップリンクサブフレームにまたがることをサポートするように構成されないことに少なくとも部分的に基づいて、前記アップリンクサブフレームの後に行われる前記送信反復の前記一部分を監視するのを中断するステップをさらに含む、ステップをさらに含む、
請求項24に記載の方法。
【請求項３３】
前記送信反復の前記一部分が前記サブフレーム構成に関連付けられた特殊切替えサブフレーム(SSF)のアップリンク部分にまたがると決定するステップであって、前記TBの前記送信反復を監視するステップが、前記ワイヤレスデバイスが前記SSFにまたがることをサポートするように構成されることに少なくとも部分的に基づいて、前記SSFの前記アップリンク部分の後に行われる前記送信反復の前記一部分を監視するために前記SSFの後のサブフレームを遅延させるまたはパンクチャするステップをさらに含む、ステップをさらに含む、
請求項24に記載の方法。
【請求項３４】
前記送信反復の前記一部分が前記サブフレーム構成に関連付けられたアップリンクサブフレームにまたがると決定するステップであって、前記送信反復が、ダウンリンク送信におけるものであり、前記TBの前記送信反復を監視するステップが、前記ワイヤレスデバイスが前記アップリンクサブフレームにまたがることをサポートするように構成されることに少なくとも部分的に基づいて、前記アップリンクサブフレームの後に行われる前記送信反復の前記一部分を監視するために前記アップリンクサブフレームの後のサブフレームを遅延させるまたはパンクチャするステップをさらに含む、ステップをさらに含む、
請求項24に記載の方法。
【請求項３５】
ワイヤレスデバイスにおけるワイヤレス通信のための装置であって、
サブフレームの送信時間間隔(TTI)の間に、複数のTTIに対するトランスポートブロック(TB)の送信反復の指示を含む制御情報を受信する手段と、
前記制御情報に少なくとも部分的に基づいて前記TBの送信反復の量を識別する手段と、
前記識別に少なくとも部分的に基づいて前記TBの前記送信反復を監視する手段とを備える、
装置。
【請求項３６】
制御フォーマットインジケータ(CFI)フィールドが2の値を有することに少なくとも部分的に基づいて、第2のTTIが前記送信反復のうちの1つを送信するために使用されないと決定する手段をさらに備える、
請求項35に記載の装置。
【請求項３７】
前記制御情報に関連付けられた制御フォーマットインジケータ(CFI)のフィールドにおける値を識別する手段と、
前記CFIの前記フィールドにおける前記値に少なくとも部分的に基づいて、第2のTTIが前記TBの前記送信反復のうちの1つを送信するために利用可能ではないと決定する手段とをさらに備える、
請求項35に記載の装置。
【請求項３８】
前記CFIの前記フィールドにおける前記値が、2である、
請求項37に記載の装置。
【請求項３９】
前記第2のTTIが、ミニスロットである、
請求項37に記載の装置。
【請求項４０】
前記TBの前記送信反復を監視する手段が、
前記TBの前記送信反復について物理ダウンリンク共有チャネル(PDSCH)を監視する手段を備える、
請求項37に記載の装置。
【請求項４１】
前記制御情報に少なくとも部分的に基づいて、TTIインデックスに関連付けられた初期TTIが前記TBの前記送信反復に関連付けられた初期送信に利用可能であるかどうかを決定する手段をさらに備える、
請求項35に記載の装置。
【請求項４２】
前記制御情報に関連付けられた制御フォーマットインジケータ(CFI)のフィールドにおける値を識別する手段であって、前記初期TTIが前記初期送信に利用可能であるかどうかを決定する手段が、前記CFIの前記フィールドにおける前記値にさらに少なくとも部分的に基づく、手段をさらに備える、
請求項41に記載の装置。
【請求項４３】
前記CFIの前記フィールドにおける前記値に少なくとも部分的に基づいて、前記TTIインデックスに関連付けられた前記初期TTIが前記初期送信に利用不可能であると決定する手段と、
前記初期送信を前記初期TTIの後の第2のTTIに遅延させる手段とをさらに備える、
請求項42に記載の装置。
【請求項４４】
前記CFIの前記フィールドにおける前記値に少なくとも部分的に基づいて、前記TTIインデックスに関連付けられた前記初期TTIが前記初期送信に利用不可能であると決定する手段と、
前記初期TTIが利用不可能であるとの決定に少なくとも部分的に基づいて、前記初期TTIをパンクチャする手段と、
前記初期TTIの後の第2のTTIの間に、前記送信反復の量の後続のTB送信を監視する手段とをさらに備える、
請求項42に記載の装置。
【請求項４５】
前記CFIが、動的にまたは半静的に受信される、
請求項42に記載の装置。
【請求項４６】
ワイヤレスデバイスにおけるワイヤレス通信のための装置であって、
プロセッサと、
前記プロセッサと電子通信しているメモリと、
前記メモリに記憶された命令とを備え、前記命令が、
サブフレームの送信時間間隔(TTI)の間に、複数のTTIに対するトランスポートブロック(TB)の送信反復の指示を含む制御情報を受信することと、
前記制御情報に少なくとも部分的に基づいて前記TBの送信反復の量を識別することと、
前記識別に少なくとも部分的に基づいて前記TBの前記送信反復を監視することと
を前記装置に行わせるように前記プロセッサによって実行可能である、
装置。
【請求項４７】
受信機と、
前記メモリに記憶された命令とをさらに備え、前記命令が、
前記サブフレームの前記TTIの間に前記制御情報を受信するように前記受信機を構成することを前記装置に行わせるように前記プロセッサによって実行可能である、
請求項46に記載の装置。
【請求項４８】
ワイヤレスデバイスにおけるワイヤレス通信のためのコードを記憶する非一時的コンピュータ可読記憶媒体であって、前記コードが、
サブフレームの送信時間間隔(TTI)の間に、複数のTTIに対するトランスポートブロック(TB)の送信反復の指示を含む制御情報を受信し、
前記制御情報に少なくとも部分的に基づいて前記TBの送信反復の量を識別し、
前記識別に少なくとも部分的に基づいて前記TBの前記送信反復を監視する
ようにプロセッサによって実行可能な命令を含む、
非一時的コンピュータ可読記憶媒体。
【発明の詳細な説明】
【技術分野】
【０００１】
相互参照
本特許出願は、各々が本出願の譲受人に譲渡された、2019年5月9日に出願された「REPETITION-BASED TRANSMISSION」と題するHOSSEINIらによる米国特許出願第16/407,579号、および2018年5月11日に出願された「Repetition-Based Transmission」と題するHOSSEINIらによる米国仮特許出願第62/670,668号の優先権を主張する。
【０００２】
以下は、一般にワイヤレス通信に関し、より詳細には、反復ベースの送信をサポートすることに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、ロングタームエボリューション(LTE)システム、LTEアドバンスト(LTE-A)システム、またはLTE-A Proシステムなどの第4世代(4G)システム、およびニューラジオ(NR)システムと呼ばれることがある第5世代(5G)システムを含む。これらのシステムは、符号分割多元接続(CDMA(登録商標))、時分割多元接続(TDMA)、周波数分割多元接続(FDMA)、直交周波数分割多元接続(OFDMA)、または離散フーリエ変換拡散OFDM(DFT-S-OFDM)などの技術を採用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【０００４】
いくつかのワイヤレス通信システムは、一定の信頼性基準を満たすために、同じトランスポートブロック(TB)の反復送信を利用し得る。しかしながら、低レイテンシシステムでは、送信反復の数に応じて、反復ウィンドウは、異なるサブフレームまたはスロット間の境界を越えることがある。これは、反復TB送信に対する、デバイスにおける複雑な多重化および劣悪なまたは信頼できない受信のうちの1つまたは複数をもたらすことがある。
【発明の概要】
【課題を解決するための手段】
【０００５】
説明する技法は、反復ベースの送信をサポートする、改善された方法、システム、デバイス、および装置に関する。一般に、説明する技法は、一定の信頼性基準またはしきい値を満たすために、同じTBの、反復と呼ばれることがある複数の送信を実行するためのワイヤレスデバイスを提供する。低レイテンシシステムでは、TBは、任意の送信時間間隔(TTI)において送信され得る。システムは、TB送信がスロット境界、サブフレーム境界、またはeIMTA境界を越える場合がある、これらのTB反復を処理するためのプロセスを実装し得る。たとえば、デバイス(たとえば、基地局)は、TB送信を示す制御情報を別のデバイス(たとえば、ユーザ機器(UE))に送信してもよく、デバイスは、制御情報に基づいてTBの送信反復の数を決定してもよい。デバイスは、デバイスが、スロット境界、サブフレーム境界、またはeIMTA境界を越える場合がある送信反復の数のTB送信をサポートするように構成されるかどうかを暗黙的にまたは明示的に決定してもよい。次いで、デバイスは、デバイスが境界交差をサポートするように構成されるかどうかに基づいて、境界にまたがるTB送信をどのように処理するかを決定してもよい。
【０００６】
ワイヤレスデバイスにおけるワイヤレス通信の方法について説明する。方法は、サブフレームのTTIの間に、TTIのセットに対するトランスポートブロック(TB)の送信反復の指示を含む制御情報を受信するステップと、制御情報に基づいてTBの送信反復の量を識別するステップと、識別に基づいてTBの送信反復を監視するステップとを含んでもよい。
【０００７】
ワイヤレス通信のための装置について説明する。装置は、プロセッサと、プロセッサと電子通信しているメモリと、メモリに記憶された命令とを含んでもよい。命令は、サブフレームのTTIの間に、TTIのセットに対するトランスポートブロック(TB)の送信反復の指示を含む制御情報を受信することと、制御情報に基づいてTBの送信反復の量を識別することと、識別に基づいてTBの送信反復を監視することとを装置に行わせるようにプロセッサによって実行可能であってもよい。いくつかの例では、装置は、受信機を含んでもよく、受信機は、サブフレームのTTIの間に制御情報を受信する。
【０００８】
ワイヤレス通信のための別の装置について説明する。装置は、サブフレームのTTIの間に、TTIのセットに対するトランスポートブロック(TB)の送信反復の指示を含む制御情報を受信する手段と、制御情報に基づいてTBの送信反復の量を識別する手段と、識別に基づいてTBの送信反復を監視する手段とを含んでもよい。
【０００９】
ワイヤレスデバイスにおけるワイヤレス通信のためのコードを記憶する非一時的コンピュータ可読記憶媒体について説明する。コードは、サブフレームのTTIの間に、TTIのセットに対するトランスポートブロック(TB)の送信反復の指示を含む制御情報を受信し、制御情報に基づいてTBの送信反復の量を識別し、識別に基づいてTBの送信反復を監視するようにプロセッサによって実行可能な命令を含んでもよい。
【００１０】
本明細書で説明する方法、装置、および非一時的コンピュータ可読記憶媒体のいくつかの例は、制御情報に関連付けられた制御フォーマットインジケータ(CFI)のフィールドにおける値を識別し、CFIのフィールドにおける値に基づいて、第2のTTIがTBの送信反復のうちの1つを送信するために利用可能でない場合があると決定するための動作、特徴、手段、または命令をさらに含んでもよい。
【００１１】
本明細書で説明する方法、装置、および非一時的コンピュータ可読記憶媒体のいくつかの例では、CFIのフィールドにおける値は、2であってもよい。
【００１２】
本明細書で説明する方法、装置、および非一時的コンピュータ可読記憶媒体のいくつかの例では、第2のTTIは、ミニスロットであってもよい。
【００１３】
本明細書で説明する方法、装置、および非一時的コンピュータ可読記憶媒体のいくつかの例では、TBの送信反復を監視することは、TBの送信反復について物理ダウンリンク共有チャネル(PDSCH)を監視するための動作、特徴、手段、または命令を含んでもよい。
【００１４】
本明細書で説明する方法、装置、および非一時的コンピュータ可読記憶媒体のいくつかの例は、制御フォーマットインジケータ(CFI)フィールドが2の値を有することに基づいて、第2のTTIが送信反復のうちの1つを送信するために使用され得ないと決定するための動作、特徴、手段、または命令をさらに含んでもよい。
【００１５】
本明細書で説明する方法、装置、および非一時的コンピュータ可読記憶媒体のいくつかの例は、制御情報に基づいて、TTIインデックスに関連付けられた初期TTIがTBの送信反復に関連付けられた初期送信に利用可能であり得るかどうかを決定するための動作、特徴、手段、または命令をさらに含んでもよい。
【００１６】
本明細書で説明する方法、装置、および非一時的コンピュータ可読記憶媒体のいくつかの例は、制御情報に関連付けられた制御フォーマットインジケータ(CFI)のフィールドにおける値を識別するための動作、特徴、手段、または命令をさらに含んでもよく、初期TTIが初期送信に利用可能であり得るかどうかを決定することは、CFIのフィールドにおける値にさらに基づいてもよい。
【００１７】
本明細書で説明する方法、装置、および非一時的コンピュータ可読記憶媒体のいくつかの例は、CFIのフィールドにおける値に基づいて、TTIインデックスに関連付けられた初期TTIが初期送信に利用不可能であり得ると決定し、初期送信を初期TTIの後の第2のTTIに遅延させるための動作、特徴、手段、または命令をさらに含んでもよい。
【００１８】
本明細書で説明する方法、装置、および非一時的コンピュータ可読記憶媒体のいくつかの例は、CFIのフィールドにおける値に基づいて、TTIインデックスに関連付けられた初期TTIが初期送信に利用不可能であり得ると決定し、初期TTIが利用不可能であり得るとの決定に基づいて、初期TTIをパンクチャし、初期TTIの後の第2のTTIの間に送信反復の量の後続のTB送信を監視するための動作、特徴、手段、または命令をさらに含んでもよい。
【００１９】
本明細書で説明する方法、装置、および非一時的コンピュータ可読記憶媒体のいくつかの例では、CFIは、動的にまたは半静的に受信されてもよい。
【００２０】
本明細書で説明する方法、装置、および非一時的コンピュータ可読記憶媒体のいくつかの例では、CFIは、物理制御フォーマットインジケータチャネル(PCFICH)上でまたは上位レイヤシグナリングを介して受信されてもよい。
【００２１】
本明細書で説明する方法、装置、および非一時的コンピュータ可読記憶媒体のいくつかの例は、初期送信のTTIインデックスおよび制御情報に基づいて、送信反復の一部分がサブフレーム境界にまたがると決定し、ワイヤレスデバイスがサブフレーム境界にまたがることをサポートするように構成され得ると識別し、第2のサブフレームにおける利用可能なTTIの量を識別するための動作、特徴、手段、または命令をさらに含んでもよい。
【００２２】
本明細書で説明する方法、装置、および非一時的コンピュータ可読記憶媒体のいくつかの例は、利用可能なTTIの量を識別したことに基づいて、PDSCHが第2のサブフレームにおけるTTIのリソースにマッピングされ得ないと決定し、PDSCHがTTIにマッピングされないことに基づいて、第2のサブフレームにおけるTTIをパンクチャし、パンクチャに基づいて、第2のサブフレームの間に送信反復の一部分を監視するための動作、特徴、手段、または命令をさらに含んでもよい。
【００２３】
本明細書で説明する方法、装置、および非一時的コンピュータ可読記憶媒体のいくつかの例では、送信反復の各TB送信は、反復ウィンドウの異なるTTIにおいて監視されてもよい。
【００２４】
本明細書で説明する方法、装置、および非一時的コンピュータ可読記憶媒体のいくつかの例は、TBの送信反復に関連付けられた初期送信のためのTTIインデックスを識別し、初期送信のTTIインデックスおよび制御情報に基づいて、送信反復の一部分がサブフレーム境界にまたがると決定し、サブフレーム境界にまたがる送信反復の一部分を監視するための動作、特徴、手段、または命令をさらに含んでもよい。
【００２５】
本明細書で説明する方法、装置、および非一時的コンピュータ可読記憶媒体のいくつかの例は、ワイヤレスデバイスがサブフレーム境界にまたがることをサポートするように構成され得ないと識別し、TBの送信反復のための利用可能なTTIの量を決定するための動作、特徴、手段、または命令をさらに含んでもよく、TBの送信反復を監視することは、利用可能なTTIの量にさらに基づいてもよい。
【００２６】
本明細書で説明する方法、装置、および非一時的コンピュータ可読記憶媒体のいくつかの例は、利用可能なTTIの量がTBの送信反復の量に対するTTIのセットを下回り得ると決定し、利用可能なTTIの量の最終TTIの後にTTIのセットのうちの少なくとも1つを監視するのを中断するための動作、特徴、手段、または命令をさらに含んでもよい。
【００２７】
本明細書で説明する方法、装置、および非一時的コンピュータ可読記憶媒体のいくつかの例は、ダウンリンク制御情報(DCI)において受信された指示に基づいて、利用可能なTTIの量の最終TTIまでTBの送信反復を監視することを決定するための動作、特徴、手段、または命令をさらに含んでもよい。
【００２８】
本明細書で説明する方法、装置、および非一時的コンピュータ可読記憶媒体のいくつかの例は、ワイヤレスデバイスの構成を識別し、構成に基づいて、ワイヤレスデバイスがサブフレーム境界にまたがることをサポートするように構成され得るかどうかを決定するための動作、特徴、手段、または命令をさらに含んでもよい。
【００２９】
本明細書で説明する方法、装置、および非一時的コンピュータ可読記憶媒体のいくつかの例では、構成を識別することは、ワイヤレスデバイスの能力に基づいてもよい。本明細書で説明する方法、装置、および非一時的コンピュータ可読記憶媒体のいくつかの例では、能力は、復調基準信号(DMRS)共有能力、DMRS結合能力、構成シグナリング、またはサブフレーム境界のそれぞれの側のTTIに対するDMRS共有能力もしくはDMRS結合能力の指示、あるいはそれらの組合せを含んでもよい。
【００３０】
本明細書で説明する方法、装置、および非一時的コンピュータ可読記憶媒体のいくつかの例は、ワイヤレスデバイスの構成を識別し、構成に基づいて、ワイヤレスデバイスが拡張干渉緩和およびトラフィック適応(eIMTA)境界にまたがることをサポートするように構成され得るかどうかを決定するための動作、特徴、手段、または命令をさらに含んでもよい。
【００３１】
本明細書で説明する方法、装置、および非一時的コンピュータ可読記憶媒体のいくつかの例では、構成を識別することは、ワイヤレスデバイスの能力に基づいてもよい。本明細書で説明する方法、装置、および非一時的コンピュータ可読記憶媒体のいくつかの例では、能力は、復調基準信号(DMRS)共有能力、DMRS結合能力、構成シグナリング、またはサブフレーム境界のそれぞれの側のTTIに対するDMRS共有能力もしくはDMRS結合能力の指示、あるいはそれらの組合せを含んでもよい。
【００３２】
本明細書で説明する方法、装置、および非一時的コンピュータ可読記憶媒体のいくつかの例は、制御情報に基づいてサブフレームのサブフレーム構成を決定し、サブフレーム構成に基づいて、送信反復の一部分がeIMTA境界にまたがると決定するための動作、特徴、手段、または命令をさらに含んでもよい。
【００３３】
本明細書で説明する方法、装置、および非一時的コンピュータ可読記憶媒体のいくつかの例は、サブフレーム構成に基づいて、ワイヤレスデバイスがeIMTA境界にまたがることをサポートするように構成され得ないと識別するための動作、特徴、手段、または命令をさらに含んでもよく、TBの送信反復を監視することは、ワイヤレスデバイスがeIMTA境界にまたがることをサポートするように構成されないことに基づいて、eIMTA境界の後に行われる送信反復の一部分を監視するのを中断することをさらに含む。
【００３４】
本明細書で説明する方法、装置、および非一時的コンピュータ可読記憶媒体のいくつかの例は、ワイヤレスデバイスがeIMTA境界にまたがることをサポートするように構成されないことに基づいて、TBの送信反復のための利用可能なTTIの量を決定するための動作、特徴、手段、または命令をさらに含んでもよく、TBの送信反復を監視することは、利用可能なTTIの量にさらに基づいてもよい。
【００３５】
本明細書で説明する方法、装置、および非一時的コンピュータ可読記憶媒体のいくつかの例は、利用可能なTTIの量がTBの送信反復の量に対するTTIのセットを下回り得ると決定し、利用可能なTTIの量の最終TTIの後にTTIのセットのうちの少なくとも1つを監視するのを中断するための動作、特徴、手段、または命令をさらに含んでもよい。
【００３６】
本明細書で説明する方法、装置、および非一時的コンピュータ可読記憶媒体のいくつかの例は、サブフレーム構成に基づいて、ワイヤレスデバイスがeIMTA境界にまたがることをサポートするように構成され得ると識別するための動作、特徴、手段、または命令をさらに含んでもよく、TBの送信反復を監視することは、ワイヤレスデバイスがeIMTA境界にまたがることをサポートするように構成されることに基づいて、eIMTA境界の後に行われる送信反復の一部分を監視することをさらに含む。
【００３７】
本明細書で説明する方法、装置、および非一時的コンピュータ可読記憶媒体のいくつかの例は、TBの送信反復に関連付けられた初期送信のためのTTIインデックスを識別し、初期送信のTTIインデックスおよび制御情報に基づいて、送信反復の一部分がeIMTA境界にまたがると決定し、サブフレーム構成に基づいて、eIMTA境界にまたがる送信反復の一部分を監視するための動作、特徴、手段、または命令をさらに含んでもよい。
【００３８】
本明細書で説明する方法、装置、および非一時的コンピュータ可読記憶媒体のいくつかの例は、ワイヤレスデバイスがeIMTA境界にまたがることをサポートするように構成されることに基づいて、第2のサブフレームにおける利用可能なTTIの量を識別し、利用可能なTTIの量を識別したことに基づいて、PDSCHが第2のサブフレームにおけるTTIのリソースにマッピングされ得ないと決定し、PDSCHがTTIにマッピングされないことに基づいて、第2のサブフレームにおけるTTIをパンクチャし、パンクチャに基づいて、第2のサブフレームの間に送信反復の一部分を監視するための動作、特徴、手段、または命令をさらに含んでもよい。
【００３９】
本明細書で説明する方法、装置、および非一時的コンピュータ可読記憶媒体のいくつかの例は、送信反復の一部分がサブフレーム構成に関連付けられた特殊切替えサブフレーム(SSF)のアップリンク部分にまたがると決定するための動作、特徴、手段、または命令をさらに含んでもよく、TBの送信反復を監視することは、ワイヤレスデバイスがSSFにまたがることをサポートするように構成されないことに基づいて、SSFのアップリンク部分の後に行われる送信反復の一部分を監視するのを中断することをさらに含む。
【００４０】
本明細書で説明する方法、装置、および非一時的コンピュータ可読記憶媒体のいくつかの例は、送信反復の一部分がサブフレーム構成に関連付けられたアップリンクサブフレームにまたがると決定するための動作、特徴、手段、または命令をさらに含んでもよく、送信反復は、ダウンリンク送信におけるものであってもよく、TBの送信反復を監視することは、ワイヤレスデバイスがアップリンクサブフレームにまたがることをサポートするように構成されないことに基づいて、アップリンクサブフレームの後に行われる送信反復の一部分を監視するのを中断することをさらに含む。
【００４１】
本明細書で説明する方法、装置、および非一時的コンピュータ可読記憶媒体のいくつかの例は、送信反復の一部分がサブフレーム構成に関連付けられた特殊切替えサブフレーム(SSF)のアップリンク部分にまたがると決定するための動作、特徴、手段、または命令をさらに含んでもよく、TBの送信反復を監視することは、ワイヤレスデバイスがSSFにまたがることをサポートするように構成されることに基づいて、SSFのアップリンク部分の後に行われる送信反復の一部分を監視するためにSSFの後のサブフレームを遅延させるまたはパンクチャすることをさらに含む。
【００４２】
本明細書で説明する方法、装置、および非一時的コンピュータ可読記憶媒体のいくつかの例は、送信反復の一部分がサブフレーム構成に関連付けられたアップリンクサブフレームにまたがると決定するための動作、特徴、手段、または命令をさらに含んでもよく、送信反復は、ダウンリンク送信におけるものであってもよく、TBの送信反復を監視することは、ワイヤレスデバイスがアップリンクサブフレームにまたがることをサポートするように構成されることに基づいて、アップリンクサブフレームの後に行われる送信反復の一部分を監視するためにアップリンクサブフレームの後のサブフレームを遅延させるまたはパンクチャすることをさらに含む。
【図面の簡単な説明】
【００４３】
【図１】本開示の態様によるワイヤレス通信システムの一例を示す図である。
【図２】本開示の態様によるワイヤレス通信システムの一例を示す図である。
【図３Ａ】本開示の態様による構成の一例を示す図である。
【図３Ｂ】本開示の態様による構成の一例を示す図である。
【図４】本開示の態様によるプロセスフローの一例を示す図である。
【図５】本開示の態様によるデバイスのブロック図である。
【図６】本開示の態様によるデバイスのブロック図である。
【図７】本開示の態様による通信マネージャのブロック図である。
【図８】本開示の態様によるデバイスを含むシステムの図である。
【図９】本開示の態様による方法を示すフローチャートである。
【図１０】本開示の態様による方法を示すフローチャートである。
【図１１】本開示の態様による方法を示すフローチャートである。
【図１２】本開示の態様による方法を示すフローチャートである。
【発明を実施するための形態】
【００４４】
ユーザ機器(UE)および/または基地局は、信頼性基準の準拠を保証するために、トランスポートブロック(TB)の、反復と呼ばれることもある複数の送信を送信または受信し得る。低レイテンシが優先事項であるとき、これらの反復は、ハイブリッド自動再送要求(HARQ)トリガ機構に依拠することなしに送信されることがあり、それによって、同じTBが複数の送信時間間隔(TTI)にわたって複数回送信されることを可能にする。送信される反復の数および最初の反復が送信されるTTIインデックスに応じて、サブフレームのスロットの異なるTTIにおいてTBの2つ以上の反復が送信されることがあり、このことは、反復間の一貫性を低減し、TB受信の品質を低下させることがある。
【００４５】
説明する技法は、スロット境界、サブフレーム境界、および/またはeIMTA境界にまたがるTB送信の複数の反復の送信および受信を管理することを提供する。このようにして、UEおよび/または基地局は、複数のTTIに対するTBの送信反復の指示を明示的にまたは暗黙的に示す制御情報を受信することができ、受信された制御情報に基づいてTBの送信反復の量を識別し、UEおよび/または基地局の構成に従って、かつTB送信反復がスロット境界、サブフレーム境界、および/またはeIMTA境界にまたがるかどうかに基づいてTBの送信反復を監視する。本明細書で説明するように、これらの技法は、送信されるTBの反復一貫性の改善をもたらし得る。
【００４６】
本開示の態様について、最初にワイヤレス通信システムの文脈で説明する。本開示の追加の態様について、例示的な構成およびプロセスフローを参照しながら説明する。本開示の態様について、反復ベースの送信に関する装置図、システム図、およびフローチャートによってさらに示し、それらを参照しながら説明する。
【００４７】
図1は、本開示の態様によるワイヤレス通信システム100の一例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、LTE-A Proネットワーク、またはニューラジオ(NR)ネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。
【００４８】
基地局105は、1つまたは複数の基地局アンテナを介してUE115とワイヤレス通信し得る。本明細書で説明する基地局105は、基地トランシーバ局、無線基地局、アクセスポイント、無線トランシーバ、ノードB、eノードB(eNB)、次世代ノードBもしくはギガノードB(そのいずれもgNBと呼ばれることがある)、ホームノードB、ホームeノードB、または何らかの他の適切な用語を含み得るか、または当業者によってそのように呼ばれることがある。ワイヤレス通信システム100は、異なるタイプの基地局105(たとえば、マクロ基地局またはスモールセル基地局)を含み得る。本明細書で説明するUE115は、マクロeNB、スモールセルeNB、gNB、中継基地局などを含む、様々なタイプの基地局105およびネットワーク機器と通信することが可能であり得る。
【００４９】
各基地局105は、様々なUE115との通信がサポートされる特定の地理的カバレージエリア110に関連付けられ得る。各基地局105は、通信リンク125を介してそれぞれの地理的カバレージエリア110に通信カバレージを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００５０】
基地局105のための地理的カバレージエリア110は、地理的カバレージエリア110の一部分のみを構成するセクタに分割されることがあり、各セクタはセルに関連付けられることがある。たとえば、各基地局105は、マクロセル、スモールセル、ホットスポット、もしくは他のタイプのセル、またはそれらの様々な組合せに通信カバレージを提供し得る。いくつかの例では、基地局105は可動であってもよく、したがって、移動する地理的カバレージエリア110に通信カバレージを提供し得る。いくつかの例では、異なる技術に関連付けられた異なる地理的カバレージエリア110は重複することがあり、異なる技術に関連付けられた重複する地理的カバレージエリア110は、同じ基地局105によって、または異なる基地局105によってサポートされることがある。ワイヤレス通信システム100は、たとえば、異なるタイプの基地局105が様々な地理的カバレージエリア110にカバレージを提供する、異種LTE/LTE-A/LTE-A ProまたはNRネットワークを含み得る。
【００５１】
「セル」という用語は、(たとえば、キャリアを介した)基地局105との通信に使用される論理通信エンティティを指し、同じまたは異なるキャリアを介して動作する近隣セルを区別するための識別子(たとえば、物理セル識別子(PCID)、仮想セル識別子(VCID))に関連付けられ得る。いくつかの例では、キャリアは複数のセルをサポートすることができ、異なるセルは、異なるタイプのデバイスにアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。いくつかの場合、「セル」という用語は、論理エンティティが動作する地理的カバレージエリア110の一部分(たとえば、セクタ)を指すことがある。
【００５２】
UE115は、ワイヤレス通信システム100全体にわたって分散されることがあり、各UE115は、固定またはモバイルであり得る。UE115は、モバイルデバイス、ワイヤレスデバイス、リモートデバイス、ハンドヘルドデバイス、もしくは加入者デバイス、または何らかの他の適切な用語で呼ばれることもあり、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどのパーソナル電子デバイスであり得る。いくつかの例では、UE115はまた、ワイヤレスローカルループ(WLL)局、モノのインターネット(IoT)デバイス、あらゆるモノのインターネット(IoE)デバイス、またはMTCデバイスなどを指すことがあり、これらは、アプライアンス、車両、メーターなどの様々な物品において実装され得る。
【００５３】
MTCデバイスまたはIoTデバイスなどのいくつかのUE115は、低コストまたは低複雑度のデバイスであることがあり、(たとえば、マシンツーマシン(M2M)通信を介して)マシン間の自動化された通信を提供し得る。M2M通信またはMTCは、人間が介在することなく、デバイスが互いとまたは基地局105と通信することを可能にするデータ通信技術を指すことがある。いくつかの例では、M2M通信またはMTCは、センサーまたはメーターを組み込んで情報を測定またはキャプチャし、その情報を利用することができる中央サーバもしくはアプリケーションプログラムに情報を中継するか、またはプログラムもしくはアプリケーションと対話する人間に情報を提示する、デバイスからの通信を含み得る。いくつかのUE115は、情報を収集するか、またはマシンの自動化された挙動を可能にするように設計され得る。MTCデバイス向けの用途の例は、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネス課金を含む。
【００５４】
いくつかのUE115は、半二重通信などの、電力消費を低減する動作モード(たとえば、送信または受信を介した一方向通信をサポートするが、送信および受信を同時にサポートしないモード)を採用するように構成され得る。いくつかの例では、半二重通信は、低減されたピークレートで実行され得る。UE115のための他の電力節約技法は、アクティブな通信に関与していないときに節電「ディープスリープ」モードに入ること、または(たとえば、狭帯域通信に従って)限られた帯域幅にわたって動作することを含む。いくつかの場合、UE115は、クリティカル機能(たとえば、ミッションクリティカル機能)をサポートするように設計されることがあり、ワイヤレス通信システム100は、これらの機能のために超高信頼性通信を提供するように構成されることがある。
【００５５】
いくつかの場合、UE115はまた、(たとえば、ピアツーピア(P2P)プロトコルまたはデバイスツーデバイス(D2D)プロトコルを使用して)他のUE115と直接通信することが可能であり得る。D2D通信を利用する、あるグループのUE115のうちの1つまたは複数は、基地局105の地理的カバレージエリア110内にあり得る。そのようなグループの中の他のUE115は、基地局105の地理的カバレージエリア110の外にあるか、または場合によっては基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを容易にする。他の場合、D2D通信は、基地局105の関与なしにUE115間で行われる。
【００５６】
基地局105は、コアネットワーク130および互いと通信し得る。たとえば、基地局105は、(たとえば、S1、N2、N3、または他のインターフェースを介して)バックホールリンク132を通じてコアネットワーク130とインターフェースし得る。基地局105は、バックホールリンク134(たとえば、X2、Xn、または他のインターフェースを介して)を介して、直接(たとえば、基地局105間で直接)または間接的に(たとえば、コアネットワーク130を介して)のいずれかで互いと通信し得る。
【００５７】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、発展型パケットコア(EPC)であってもよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、EPCに関連付けられた基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスへのアクセスを含み得る。
【００５８】
基地局105などのネットワークデバイスのうちの少なくともいくつかは、アクセスネットワークエンティティなどの下位構成要素を含んでもよく、アクセスネットワークエンティティは、アクセスノードコントローラ(ANC)の一例であり得る。各アクセスネットワークエンティティは、無線ヘッド、スマート無線ヘッド、または送信/受信ポイント(TRP)と呼ばれることがある、いくつかの他のアクセスネットワーク送信エンティティを通じて、UE115と通信し得る。いくつかの構成では、各アクセスネットワークエンティティまたは基地局105の様々な機能は、様々なネットワークデバイス(たとえば、無線ヘッドおよびアクセスネットワークコントローラ)にわたって分散されるか、または単一のネットワークデバイス(たとえば、基地局105)に統合されることがある。
【００５９】
ワイヤレス通信システム100は、通常は300MHzから300GHzの範囲にある、1つまたは複数の周波数帯域を使用して動作し得る。一般に、300MHzから3GHzの領域は、極超短波(UHF:ultra-high frequency)領域またはデシメートル帯域として知られているが、これは、波長の長さが約1デシメートルから1メートルに及ぶからである。UHF波は、建物および環境特性によって遮断されるかまたは方向変換されることがある。しかしながら、これらの波は、マクロセルが屋内に位置するUE115にサービスを提供するのに十分に構造物を貫通し得る。UHF波の送信は、300MHzを下回るスペクトルの短波(HF:high frequency)または超短波(VHF:very high frequency)部分のより低い周波数およびより長い波を使用する送信と比較して、より小型のアンテナおよびより短い距離(たとえば、100km未満)に関連付けられ得る。
【００６０】
ワイヤレス通信システム100はまた、センチメートル帯域としても知られている、3GHzから30GHzの周波数帯域を使用する超高周波(SHF:super high frequency)領域において動作し得る。SHF領域は、他のユーザからの干渉を許容することができるデバイスによって機会主義的に使用され得る、5GHz産業科学医療(ISM)帯域などの帯域を含む。
【００６１】
ワイヤレス通信システム100はまた、ミリメートル帯域としても知られている、(たとえば、30GHzから300GHzの)スペクトルの極高周波(EHF:extremely high frequency)領域において動作し得る。いくつかの例では、ワイヤレス通信システム100は、UE115と基地局105との間のミリメートル波(mmW)通信をサポートすることができ、それぞれのデバイスのEHFアンテナは、UHFアンテナよりもさらに小さく、間隔がより密であってもよい。いくつかの場合、これは、UE115内でのアンテナアレイの使用を容易にし得る。しかしながら、EHF送信の伝搬は、SHF送信またはUHF送信よりもさらに大きい大気減衰を受け、距離がより短いことがある。本明細書で開示する技法は、1つまたは複数の異なる周波数領域を使用する送信にわたって採用されることがあり、これらの周波数領域にわたる帯域の指定された使用は、国または規制団体によって異なることがある。
【００６２】
いくつかの場合、ワイヤレス通信システム100は、認可無線周波数スペクトル帯域と無認可無線周波数スペクトル帯域の両方を利用し得る。たとえば、ワイヤレス通信システム100は、5GHz ISM帯域などの無認可帯域において、ライセンス支援アクセス(LAA:License Assisted Access)、LTE無認可(LTE-U)無線アクセス技術、またはNR技術を採用し得る。無認可無線周波数スペクトル帯域において動作するとき、基地局105およびUE115などのワイヤレスデバイスは、データを送信する前に周波数チャネルがクリアであることを保証するために、リッスンビフォアトーク(LBT)手順を採用し得る。いくつかの場合、無認可帯域における動作は、認可帯域において動作するCCとともにCA構成に基づき得る(たとえば、LAA)。無認可スペクトルにおける動作は、ダウンリンク送信、アップリンク送信、ピアツーピア送信、またはこれらの組合せを含み得る。無認可スペクトルにおける複信は、周波数分割複信(FDD)、時分割複信(TDD)、またはその両方の組合せに基づき得る。
【００６３】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間の送信方式を使用することができ、ここで、送信デバイスは複数のアンテナを装備し、受信デバイスは1つまたは複数のアンテナを装備する。MIMO通信は、異なる空間レイヤを介して複数の信号を送信または受信することによってスペクトル効率を高めるためにマルチパス信号伝搬を採用することがあり、これは、空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって送信され得る。複数の信号の各々は、別個の空間ストリームと呼ばれることがあり、同じデータストリーム(たとえば、同じコードワード)または異なるデータストリームに関連付けられたビットを搬送することがある。異なる空間レイヤは、チャネル測定および報告に使用される異なるアンテナポートに関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６４】
空間フィルタリング、指向性送信、または指向性受信と呼ばれることもあるビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る信号処理技法である。ビームフォーミングは、アンテナアレイに対して特定の配向で伝搬する信号が強め合う干渉を受け、他の信号が弱め合う干渉を受けるように、アンテナアレイのアンテナ要素を介して通信される信号を結合することによって達成され得る。アンテナ要素を介して通信される信号の調整は、送信デバイスまたは受信デバイスが、デバイスに関連付けられたアンテナ要素の各々を介して搬送される信号に一定の振幅オフセットおよび位相オフセットを適用することを含み得る。アンテナ要素の各々に関連付けられた調整は、(たとえば、送信デバイスもしくは受信デバイスのアンテナアレイに対する、または何らかの他の配向に対する)特定の配向に関連付けられたビームフォーミング重みセットによって定義され得る。
【００６５】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、基地局105によって異なる方向に複数回送信されることがあり、このことは、信号が送信の異なる方向に関連付けられた異なるビームフォーミング重みセットに従って送信されることを含み得る。異なるビーム方向における送信は、基地局105による後続の送信および/または受信のためのビーム方向を(たとえば、基地局105またはUE115などの受信デバイスによって)識別するために使用され得る。特定の受信デバイスに関連付けられたデータ信号などのいくつかの信号は、基地局105によって単一のビーム方向(たとえば、UE115などの受信デバイスに関連付けられた方向)に送信され得る。いくつかの例では、単一のビーム方向に沿った送信に関連付けられたビーム方向は、異なるビーム方向に送信された信号に少なくとも部分的に基づいて決定され得る。たとえば、UE115は、基地局105によって異なる方向に送信された信号のうちの1つまたは複数を受信することがあり、UE115は、UE115が最高の信号品質またはさもなければ許容可能な信号品質で受信した信号の指示を基地局105に報告することがある。これらの技法について、基地局105によって1つまたは複数の方向に送信される信号を参照しながら説明するが、UE115は、(たとえば、UE115による後続の送信または受信のためのビーム方向を識別するために)信号を異なる方向に複数回送信するための、または(たとえば、データを受信デバイスに送信するために)信号を単一の方向に送信するための同様の技法を採用し得る。
【００６６】
受信デバイス(たとえば、mmW受信デバイスの一例であり得るUE115)は、同期信号、基準信号、ビーム選択信号、または他の制御信号などの様々な信号を基地局105から受信するとき、複数の受信ビームを試みることができる。たとえば、受信デバイスは、異なるアンテナサブアレイを介して受信することによって、異なるアンテナサブアレイに従って受信信号を処理することによって、アンテナアレイの複数のアンテナ要素において受信された信号に適用された異なる受信ビームフォーミング重みセットに従って受信することによって、またはアンテナアレイの複数のアンテナ要素において受信された信号に適用された異なる受信ビームフォーミング重みセットに従って受信信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に少なくとも部分的に基づいて決定されたビーム方向(たとえば、複数のビーム方向に従った聴取に少なくとも部分的に基づいて、最高信号強度、最高信号対雑音比、またはさもなければ、許容可能な信号品質を有すると決定されたビーム方向)において整合され得る。
【００６７】
いくつかの場合、基地局105またはUE115のアンテナは、MIMO動作をサポートし得るか、またはビームフォーミングを送信もしくは受信し得る、1つまたは複数のアンテナアレイ内に配置され得る。たとえば、1つまたは複数の基地局アンテナまたはアンテナアレイは、アンテナタワーなどのアンテナアセンブリにおいてコロケートされ得る。いくつかの場合、基地局105に関連付けられたアンテナまたはアンテナアレイは、多様な地理的ロケーションに配置され得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートし得る1つまたは複数のアンテナアレイを有し得る。
【００６８】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメンテーションおよび再アセンブリを実行し得る。媒体アクセス制御(MAC)レイヤは、優先処理と、トランスポートチャネルへの論理チャネルの多重化とを実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤは、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００６９】
いくつかの場合、UE115および基地局105は、データの受信に成功する尤度を高めるために、データの再送信をサポートし得る。HARQフィードバックは、データが通信リンク125を介して正確に受信される尤度を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)でのMACレイヤにおけるスループットを改善し得る。いくつかの場合、ワイヤレスデバイスは、デバイスが特定のスロット内の前のシンボルにおいて受信されたデータに対してそのスロット内でHARQフィードバックを提供し得る、同一スロットHARQフィードバックをサポートし得る。他の場合、デバイスは、後続のスロットにおいて、または何らかの他の時間間隔に従ってHARQフィードバックを提供し得る。
【００７０】
LTEまたはNRにおける時間間隔は、たとえば、Ts=1/30,720,000秒というサンプリング周期を指す場合がある、基本時間単位の倍数で表され得る。通信リソースの時間間隔は、10ミリ秒(ms)の持続時間を各々が有する無線フレームに従って編成されることがあり、ここで、フレーム期間は、Tf=307,200Tsとして表され得る。無線フレームは、0から1023に及ぶシステムフレーム番号(SFN)によって識別され得る。各フレームは、0から9の番号を付けられた10個のサブフレームを含んでもよく、各サブフレームは、1msの持続時間を有し得る。サブフレームは、0.5msの持続時間を各々が有する2つのスロットにさらに分割されてもよく、各スロットは、(たとえば、各シンボル期間にプリペンドされたサイクリックプレフィックスの長さに応じて)6個または7個の変調シンボル期間を含み得る。サイクリックプレフィックスを除いて、各シンボル期間は2048個のサンプリング周期を含み得る。いくつかの場合、サブフレームは、ワイヤレス通信システム100の最小スケジューリング単位であってもよく、送信時間間隔(TTI)と呼ばれることがある。他の場合、ワイヤレス通信システム100の最小スケジューリング単位は、サブフレームよりも短くてもよく、または(たとえば、短縮TTI(sTTI)のバーストの中で、またはsTTIを使用する選択されたコンポーネントキャリアの中で)動的に選択されてもよい。
【００７１】
いくつかのワイヤレス通信システムでは、スロットは、1つまたは複数のシンボルを含む複数のミニスロットにさらに分割され得る。いくつかの事例では、ミニスロットのシンボルまたはミニスロットは、スケジューリングの最小単位であり得る。各シンボルは、たとえば、サブキャリア間隔または動作の周波数帯域に応じて、持続時間が変化し得る。さらに、いくつかのワイヤレス通信システムは、複数のスロットまたはミニスロットが一緒にアグリゲートされ、UE115と基地局105との間の通信に使用される、スロットアグリゲーションを実装し得る。
【００７２】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、事前定義された周波数チャネル(たとえば、E-UTRA絶対無線周波数チャネル番号(EARFCN))に関連付けられることがあり、UE115による発見のためにチャネルラスタに従って配置されることがある。キャリアは、(たとえば、FDDモードでは)ダウンリンクもしくはアップリンクであってもよく、または(たとえば、TDDモードでは)ダウンリンク通信およびアップリンク通信を搬送するように構成されてもよい。いくつかの例では、キャリアを介して送信される信号波形は、(たとえば、直交周波数分割多重化(OFDM)またはDFT-s-OFDMなどのマルチキャリア変調(MCM)技法を使用して)複数のサブキャリアから構成され得る。
【００７３】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々は、ユーザデータ、ならびにユーザデータの復号をサポートするための制御情報またはシグナリングを含み得る。キャリアはまた、専用の収集シグナリング(たとえば、同期信号またはシステム情報など)と、そのキャリアに対する動作を協調させる制御シグナリングとを含み得る。いくつかの例では(たとえば、キャリアアグリゲーション構成では)、キャリアはまた、収集シグナリング、または他のキャリアに対する動作を協調させる制御シグナリングを有し得る。
【００７４】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用してダウンリンクキャリア上で多重化され得る。いくつかの例では、物理制御チャネルにおいて送信される制御情報は、カスケード方式で異なる制御領域間で(たとえば、共通制御領域または共通探索空間と1つまたは複数のUE固有制御領域またはUE固有探索空間との間で)分散され得る。
【００７５】
キャリアは、無線周波数スペクトルの特定の帯域幅に関連付けられることがあり、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅のうちの1つ(たとえば、1.4、3、5、10、15、20、40、または80MHz)であり得る。いくつかの例では、サービスされる各UE115は、キャリア帯域幅の部分またはすべてにわたって動作するように構成され得る。他の例では、いくつかのUE115は、キャリア内の事前定義された部分または範囲(たとえば、サブキャリアまたはRBのセット)に関連付けられた狭帯域プロトコルタイプを使用する動作(たとえば、狭帯域プロトコルタイプの「帯域内」展開)のために構成され得る。
【００７６】
MCM技法を採用するシステムでは、リソース要素は1つのシンボル期間(たとえば、1つの変調シンボルの持続時間)および1つのサブキャリアからなることがあり、シンボル期間およびサブキャリア間隔は逆関係にある。各リソース要素によって搬送されるビット数は、変調方式(たとえば、変調方式の次数)に依存し得る。したがって、UE115が受信するリソース要素が多いほど、かつ変調方式の次数が高いほど、UE115のデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用は、UE115との通信のためのデータレートをさらに増大し得る。
【００７７】
ワイヤレス通信システム100のデバイス(たとえば、基地局105またはUE115)は、特定のキャリア帯域幅を介した通信をサポートするハードウェア構成を有してもよく、またはキャリア帯域幅のセットのうちの1つを介した通信をサポートするように構成可能であってもよい。いくつかの例では、ワイヤレス通信システム100は、2つ以上の異なるキャリア帯域幅に関連付けられたキャリアを介した同時通信をサポートすることができる基地局105および/またはUE115を含み得る。
【００７８】
ワイヤレス通信システム100は、複数のセルまたはキャリア上でのUE115との通信、すなわち、キャリアアグリゲーション(CA)またはマルチキャリア動作と呼ばれることがある特徴をサポートし得る。UE115は、キャリアアグリゲーション構成に従って、複数のダウンリンクCCと1つまたは複数のアップリンクCCとで構成され得る。キャリアアグリゲーションは、FDDコンポーネントキャリアとTDDコンポーネントキャリアの両方とともに使用され得る。
【００７９】
いくつかの場合、ワイヤレス通信システム100は、拡張コンポーネントキャリア(eCC)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴づけられ得る。いくつかの場合、eCCは、(たとえば、複数のサービングセルが準最適または非理想なバックホールリンクを有するとき)キャリアアグリゲーション構成またはデュアル接続性構成に関連付けられ得る。eCCはまた、(たとえば、2つ以上の事業者がスペクトルを使用することを許可された場合)無認可スペクトルまたは共有スペクトルにおいて使用するために構成され得る。広いキャリア帯域幅によって特徴づけられるeCCは、全キャリア帯域幅を監視することが可能ではないか、または(たとえば、電力を節約するために)限られたキャリア帯域幅を使用するように別様に構成されるUE115によって利用され得る、1つまたは複数のセグメントを含み得る。
【００８０】
いくつかの場合、eCCは、他のCCのシンボル持続時間と比較して短縮されたシンボル持続時間の使用を含み得る、他のCCとは異なるシンボル持続時間を利用し得る。より短いシンボル持続時間は、隣接するサブキャリア間の間隔の増大に関連付けられ得る。eCCを利用するUE115または基地局105などのデバイスは、短縮されたシンボル持続時間(たとえば、16.67マイクロ秒)で、(たとえば、周波数チャネルまたは20、40、60、80MHzなどのキャリア帯域幅に従って)広帯域信号を送信し得る。eCCにおけるTTIは、1つまたは複数のシンボル期間からなり得る。いくつかの場合、TTI持続時間(すなわち、TTIの中のシンボル期間の数)は可変であり得る。
【００８１】
NRシステムなどのワイヤレス通信システムは、特に、認可スペクトル帯域、共有スペクトル帯域、および無認可スペクトル帯域の任意の組合せを利用し得る。eCCシンボル持続時間およびサブキャリア間隔の柔軟性により、複数のスペクトルにわたるeCCの使用が可能になり得る。いくつかの例では、NR共有スペクトルは、特にリソースの動的な垂直(たとえば、周波数領域にわたる)共有および水平(たとえば、時間領域にわたる)共有を通じて、スペクトル利用率およびスペクトル効率を高め得る。
【００８２】
ワイヤレス通信システム100のいくつかの例は、一定の信頼性しきい値を満たすために同じTBの送信反復を実装し得るワイヤレスデバイスをサポートし得る。たとえば、基地局105は、超高信頼性低レイテンシ通信(URLLC)システムにおける一定の信頼性しきい値を満たすために、同じTBのダウンリンク送信反復を処理し得る。TBは、URLLCシステムにおいて(たとえば、パケットの送信の準備ができたときに基づいて)スロットまたはサブフレーム内の任意のTTIにおいて送信され得る。たとえば、TBは、UE115に複数回送信され得る。基地局105およびUE115は、スロット境界、サブフレーム境界、またはeIMTA境界の近くでこれらのTB反復を処理するためのプロセスを実装し得る。たとえば、TBの送信反復の数は、TBの初期送信に使用されるTTIのTTIインデックスに基づき得る。TTIに対応する反復の量は、スロット境界、サブフレーム境界、またはeIMTA境界の近接度に基づき得る。
【００８３】
レガシーTDDシステムは、セルがシステム情報ブロック(SIB)構成(たとえば、SIB1)を変更することによって異なる構成を使用する能力を有し得るとしても、同じTDD構成を使用することをすべてのセルに強制し得る。いくつかの場合、eIMTAは、セルまたはセルのクラスタが実際のトラフィック要件に基づいてダウンリンク/アップリンクサブフレームリソースを動的に適応させることを可能にし得る。たとえば、セルは、ダウンリンクトラフィックが重い(たとえば、しきい値を上回る)ときにダウンリンク構成を使用することがあり、その逆も同様である。いくつかの場合、TDD eIMTAでは、これらのダウンリンク/アップリンクサブフレームリソースが構成され得る。たとえば、ベースライン構成(たとえば、アップリンク構成)がSIBにおいてシグナリングされ得る。別の例では、ダウンリンクHARQ基準アップリンク/ダウンリンク構成がRRCを使用してシグナリングされ得る。デバイス(たとえば、基地局105もしくはUE115、または両方)は、L1再構成DCIを使用して動的な構成をシグナリングし得る。いくつかの例では、SIB構成ごとのアップリンクサブフレームおよび特殊サブフレームは、ダウンリンクサブフレームに動的に再構成され得る。いくつかの場合、サブフレーム構成は、1つまたは複数のアンカーサブフレームおよび/または非アンカーサブフレームを含み得る。アンカーサブフレームは、ベースライン構成およびダウンリンクHARQ基準構成のための共通サブフレームであってもよく、非アンカーサブフレームは、L1シグナリングに基づいてアップリンク方向とダウンリンク方向との間で適応的に変更されてもよい。
【００８４】
いくつかの場合、再構成DCIは、可能なアップリンク/ダウンリンク構成を明示的に示すための情報を搬送し得る。DCIサイズは、DCIフォーマット(たとえば、DCIフォーマット1C)に整合され得る。明示的な再構成DCIは、DCIに従ってPDCCH CSSまたはSCG CSS上で1次セルにおいて送信され得る。再構成DCIの周期性は、10、20、40、および/または80msにわたり得る。再構成DCIを監視するためのサブフレームのセットは、RRCを介してデバイス固有に構成され得る。たとえば、20、40、および80ms周期性の場合、サブフレームは、各周期性内の最後の無線フレームにおけるサブフレームに対応し得る。1次セルのTDDの場合、SIBごとのダウンリンクサブフレームおよび特殊サブフレームが再構成DCIを監視するように構成され得る。1次セルのFDDの場合、任意のサブフレームが再構成DCIを監視するように構成され得る。
【００８５】
いくつかの場合、反復ウィンドウが複数のスロットまたはサブフレームにわたることを可能にすることによって、信頼性が改善され得る。基地局105は、反復ウィンドウ内のすべてのTTIに対するTBの送信反復(たとえば、反復係数K)をスケジュールし、制御情報(たとえば、ダウンリンク制御情報(DCI))においてUE115に示すことができる。反復ウィンドウは、同じTBが反復される1つまたは複数のTTIにわたる時間期間を指すことがある。各TTIが単一のTB送信を含み得るので、より多数の送信反復はより長い反復ウィンドウに対応し得る(たとえば、反復ウィンドウの中のTTIの数がTB送信反復の数に等しい場合)。
【００８６】
いくつかの場合、基地局105は、TB送信の初期TTIインデックスを示す制御情報を(たとえば、許可において)UE115に送信してもよく、UE115は、TTIインデックスまたは制御情報の中の明示的な指示に基づいてTBの送信反復の量を決定してもよい。たとえば、DCI内部の情報フィールドは、反復の総数、すなわち、Kを示し得る。いくつかの場合、基地局105および/またはUE115は、反復の一部分がスロット境界、サブフレーム境界、またはeIMTA境界にまたがり得ると決定し得る。この場合、基地局105および/またはUE115は、それに応じて、境界にまたがる反復の一部分を監視し得る。いくつかの例では、反復の総数、すなわち、Kは、基地局105および/またはUE115が境界にまたがる反復をサポートするように構成されるかどうかに基づいて定義され得る。TBの送信反復をサポートすることによって、基地局105および/またはUE115は、ワイヤレス通信システム100において通信(たとえば、信頼性)を強化し、レイテンシを低減するための効率的な方法を提供し得る。
【００８７】
図2は、本開示の様々な態様によるワイヤレス通信システム200の一例を示す。たとえば、ワイヤレス通信システム200は、ダウンリンク送信およびアップリンク送信のための反復ベースの送信をサポートし得る。いくつかの例では、ワイヤレス通信システム200は、ワイヤレス通信システム100の態様を実装し得る。ワイヤレス通信システム200は、4G LTEまたは5G NRなどの無線アクセス技術(RAT)に従って動作し得るが、本明細書で説明する技法は、任意のRATに、および2つ以上の異なるRATを同時に使用し得るシステムに適用され得る。
【００８８】
ワイヤレス通信システム200は、図1に関して説明した対応するデバイスの例であり得る、基地局105-aおよびUE115-aを含み得る。基地局105-aは、図1に関して説明したように、地理的エリア110-aにサービスを提供し得る。いくつかの例では、ワイヤレス通信システム200はまた、ワイヤレス通信システム200において通信(たとえば、信頼性)を強化するための効率的な方法で、TBの送信反復をサポートし得る。たとえば、ワイヤレス通信システム200は、基地局105-aおよび/またはUE115-aがTBの送信反復をサポートする、LTE URLLCシステムまたはNR URLLCシステムなどであってもよい。
【００８９】
TB反復では、基地局105-aおよび/またはUE115-aは、複数のTTIにわたって同じTBを複数回送信し得る。いくつかの場合、これらのTTIは、短縮TTI(sTTI)またはミニスロットと呼ばれることがあり、任意の長さの時間(たとえば、2つのシンボル、3つのシンボルなど)にわたることがある。いくつかの場合、レイテンシを低減するために、基地局105-aおよび/またはUE115-aは、パケットが生成され、TBにおいて送信する準備ができるとすぐに、TBを送信し得る。これらの場合、デバイスは、データ送信をサポートするサブフレーム(たとえば、ダウンリンクにおける制御サブフレーム以外の任意のサブフレームまたはアップリンクにおける任意のサブフレーム)のスロット内の任意のTTIにおいてTBを送信し得る。
【００９０】
いくつかの場合、初期TB送信に使用されるTTIに応じて、TBの反復の一定量を送信することにより、送信反復が定義された境界(たとえば、スロット境界、サブフレーム境界、および/またはeIMTA境界)を越えることがある。この場合、送信反復が定義された境界にまたがるとき、基地局105-aおよび/またはUE115-aは、位相連続性を保つことができることもあり、できないこともある。たとえば、そのような境界を越える同じ送信の異なる反復は、TBの異なる反復のためのより長いチャネルの複雑な多重化をもたらし得る。そのような相違は、反復間の一貫性の喪失を引き起こし得る。いくつかの場合、これは、復調基準信号(DMRS)共有またはDMRS結合の可能性に影響を及ぼし得る。代替として、eIMTAの場合、送信反復が(たとえば、ダウンリンクからアップリンクへ)eIMTA境界を越えるとき、位相連続性は維持される必要がないことがある。
【００９１】
ワイヤレス通信システム200は、これらの潜在的な問題に対処するために、これらの境界を越える反復送信を管理するためのTBの1つまたは複数の反復構成をサポートし得る。基地局105-aおよび/またはUE115-aは、反復構成で構成され得る。反復構成は、TBの送信反復が境界(たとえば、スロット境界、サブフレーム境界、および/またはeIMTA境界)を越えることができるかまたはできないかを示し得る。それによって、基地局105-aおよび/またはUE115-aは、反復構成に基づいて、これらの境界を越えるまたは越えないTBの反復送信を処理し得る。いくつかの例では、反復構成は、基地局105-aおよび/またはUE115-aの関連する構成シグナリングに加えて、そのデバイス能力に基づき得る。追加または代替として、反復構成は、境界のいずれかの側でのTTIにわたるDMRS共有またはDMRS結合が行われるかどうかに基づき得る。たとえば、基地局105-aおよび/またはUE115-aは、送信反復220の受信をサポートするために、(たとえば、反復ウィンドウ内の)境界の両側で基準信号(たとえば、復調基準信号(DMRS))を送信するように構成され得る。
【００９２】
いくつかの場合、基地局105-aおよび/またはUE115-aは、TBの送信反復220を決定し、TTIインデックスに対応する特定のTTIにおいて送信されるべきTBをスケジュールし得る。このTBの反復の数(すなわち、反復係数、K)は、TTIインデックスに基づき得る。いくつかの場合、TTIに対応する反復係数Kは、スロット境界、サブフレーム境界、またはeIMTA境界に依存し得る。たとえば、境界を越える送信反復を回避するために、後続のTTIの境界に近いTTIを示すTTIインデックスは、後続のTTIの境界から遠いTTIを示すTTIインデックスよりも低い反復係数に対応し得る。反復係数は、スロット境界、サブフレーム境界、および/またはeIMTA境界に依存することもあり、しないこともある。いくつかの例では、反復係数Kは、基地局105-aおよび/またはUE115-aが境界を越えるTBの反復送信を処理するように構成されるかどうかに依存し得る。反復係数Kの値は、事前に決定されるかまたは動的に構成されてもよく、任意の数のTTIに対応し得る(たとえば、Kは、1、2、3、4、5、6など、またはスロットもしくはサブフレームの終わりまでの値を有してもよい)。
【００９３】
基地局105-aは、TTIの間に、双方向リンク210を介して制御情報215をUE115-aに送信してもよく、制御情報215は、複数のTTIに対するTBの送信反復220の指示を示す。制御情報は、TTIの間に物理ダウンリンク制御チャネル(PDCCH)上で送信されるDCIを含み得る。いくつかの場合、この指示は、明示的な指示(たとえば、TTI値インジケータ)または暗黙的な指示(たとえば、制御情報215のタイミング、制御情報215に使用されるリソースなどに基づく)であり得る。いくつかの例では、制御情報215は許可の一部であってもよく、動的許可、半永続的スケジューリング許可、または永続的スケジューリング許可の一例であり得る。許可は、ダウンリンクリソースまたはアップリンクリソースに対するものであり得る。
【００９４】
制御情報215は、TTIインデックスに対応するTBの送信反復220の量の明示的な指示を含み得る。他の場合、UE115-aは、TTIインデックスの受信された指示に基づいて送信反復220の量を決定し得る。UE115-aは、TTIおよび送信反復の数に基づいて反復ウィンドウを決定し得る。たとえば、TBの各反復は別個のTTIにおいて送信され得るので、反復ウィンドウは、送信反復の数に等しい(かつ、それに対応して、反復係数の値に等しい)いくつかのTTIにわたることがあり、初期TB送信のTTIインデックスに対応するTTIから開始することがある。次いで、UE115-aは、TBの送信反復の量および/または反復ウィンドウに基づいてTBの送信反復220を監視し得る。
【００９５】
UE115-aは、TBの送信反復220に関連付けられた初期送信のTTIインデックスを識別し、TTIインデックスおよび受信された制御情報に基づいて、送信反復220の一部分がサブフレーム境界、スロット境界、および/またはeIMTA境界にまたがると決定し得る。この場合、UE115-aは、反復構成(たとえば、UE能力)に基づいてUE115-aがこれらの境界のうちの1つを越えるTBの反復送信を処理するように構成されるかどうかの決定に基づいて、TBの送信反復220を監視し得る。いくつかの例では、この決定は暗黙的または明示的であり得る。たとえば、UE115-aは、識別されたUE能力に基づいてUE115-aが境界にまたがる送信反復220をサポートするように構成されないと識別し得る。いくつかの場合、送信反復220の一部分は、サブフレームに関連付けられた特殊切替えサブフレーム(SSF)のアップリンク部分、またはダウンリンク送信反復の場合のアップリンクサブフレームにまたがり得る。この場合、基地局105-aは、DCIにおいて、サブフレーム再構成の再構成をUE115-aに示し得る。追加または代替として、UE115-aは、サブフレーム境界を越える反復ウィンドウを利用し得る。たとえば、UE115-aは、反復ウィンドウが2つ以上のサブフレームにわたることを可能にすることによって送信信頼性を高め、TBの送信反復の数を増大し得る。受信信頼性を改善するために、UE115-aは、反復ウィンドウが境界にわたる場合、境界のいずれかの側で基準信号(たとえば、DMRS)を送信し得る。
【００９６】
図3Aは、本開示の態様による構成300-aの一例を示す。いくつかの例では、構成300-aは、ワイヤレス通信システム100および200の態様を実装し得る。たとえば、構成300-aは、ダウンリンク送信およびアップリンク送信のためのTB反復処理をサポートし得る。構成300-aは、アップリンクまたはダウンリンクにおけるTBの送信反復220の反復ウィンドウ310の例を示すことができ、反復ウィンドウ310は単一のサブフレームに制限され得る。図示のように、サブフレームは2つのスロットにわたり、3-2-2-2-2-3パターンで構成された6つのTTI305を含むことができ、このパターンは、サブフレームの各TTIの中のOFDMシンボルのそれぞれの数を定義することができる。3-2-2-2-2-3パターンは、TTI305のうちの1つが、スロット境界、サブフレーム境界、もしくはeIMTA境界、またはそれらの組合せであり得る境界315-aにわたることを防ぐために使用され得る。いくつかの例では、TTI305のうちの1つまたは複数は、アンカーTTIまたは非アンカーTTIであり得る。加えて、TTI305の一部分はダウンリンク送信のために割り振られてもよく、TTI305の第2の部分はアップリンク送信のために割り振られてもよく、TTI305の第3の部分はダウンリンク/アップリンク再構成(たとえば、特殊TTI/サブフレーム)のために割り振られてもよい。
【００９７】
各反復ウィンドウ310は、(たとえば、TTIインデックスに基づいて)TTI305に対応し得る。初期TB送信が所与のTTI305において行われる場合、基地局105-aおよび/またはUE115-aは、この初期送信のTTIインデックスに基づいて、TBの実行すべき送信反復220の量を決定し得る。TTI305ごとに構成される反復ウィンドウ310は、境界315-a(たとえば、スロット境界またはeIMTA境界)および別の境界320-a(たとえば、サブフレーム境界)にさらに基づき得る。たとえば、TTI305-bに対してTBの初期送信がスケジュールされる場合、基地局105-aおよび/またはUE115-aは、TTI305-bのTTIインデックスに基づいて、TBの送信反復220に対する対応する反復ウィンドウ310-aを識別し得る。いくつかの場合、「送信反復」という用語は、反復プロセスにおけるTBのあらゆる送信(たとえば、初期送信を含む)を指すことがある。
【００９８】
反復ウィンドウ310-aは、K=4の反復係数に対応する、TTI305-a、TTI305-b、TTI305-c、およびTTI305-dにわたり得る。反復係数Kは、基地局105-aおよび/またはUE115-aが実行すべき同じTBの送信の数を示すことができ、Kの値は、反復ウィンドウ310がわたるTTI305の数に等しい。上記で説明したシナリオでは、基地局105-aおよび/またはUE115-aはTTI305-bにおいてTBを最初に送信してもよく、TTI305-cにおいて再度同じTBを送信してもよく、以下同様である。反復ウィンドウ310-aは、境界315-aのせいでTTI305-cで停止し得る。他のTTIインデックスの反復ウィンドウ310は、同様に定義され得る。たとえば、TTI305-cは、1のK値を有する反復ウィンドウ310-bに対応してもよく、TTI305-dは、3のK値を有する反復ウィンドウ310-cに対応してもよく(たとえば、反復ウィンドウ310が境界320-aに基づいて終わる場合)、TTI305-eは、2のK値を有する反復ウィンドウ310-dに対応してもよく、TTI305-fは、1のK値を有する反復ウィンドウ310-eに対応してもよい。所与の反復ウィンドウ310に対するこれらの反復係数Kは例として与えられ、一定のTTIインデックスに対応する反復ウィンドウ310に対して他のK値が実装され得る。
【００９９】
境界(たとえば、境界315-aおよび/または境界320-a)を越えることができないいくつかの場合、UE115-aは、サブフレームの終わりまで残っている十分なTTI305がないと決定し得る。たとえば、UE115-aは、TTI305-cの間にTBの送信反復220の指示を含む制御情報を受信することがあり、反復係数K値は4である。したがって、UE115-aは、(たとえば、TTI305-d、TTI305-e、およびTTI305-fに対する)3つの送信反復のみを受信することを期待し得る。加えて、この場合、UE115-aは、境界320-a(たとえば、スロット境界および/またはeIMTA境界)にまたがる送信反復220をどのように処理するかを決定し得る。たとえば、UE115-aは、TBの送信反復220に利用可能なTTI305の量を決定し、利用可能なTTI305の量に基づいて送信反復220を監視し得る。UE115-aは、利用可能なTTI305の量がTBの送信反復220の量に対する複数のTTIを下回ると決定し、利用可能なTTI305の量の最終TTI305の後で複数のTTIのうちの少なくとも1つを監視するのを中断し得る。
【０１００】
いくつかの場合、UE115-aは、その構成に基づいて境界(たとえば、スロット境界および/またはeIMTA境界)を越えることを必要とするK値を示す制御情報(たとえば、DCI)を受信することを期待しないことがあり、したがって、送信反復220がサブフレームまたはeIMTAの終わりまで続くことを可能にし得る。TTI305がサブフレームであり得るいくつかの場合、基地局105-aおよび/またはUE115-aは、TBの送信反復220の一部分がSSFのアップリンク部分、アップリンクサブフレームにまたがり得ると決定し得る。基地局105-aがこの決定を実行する場合、基地局105-aは、サブフレーム構成が変化し得る、たとえば、ダウンリンクサブフレームがアップリンクサブフレームに変化し得ることを示す動的な構成を、L1再構成DCIを使用してUE115-aに送信し得る。加えて、基地局105-aおよび/またはUE115-aは、送信反復220がアップリンクサブフレームの終わりまで続くことを可能にし得る。
【０１０１】
図3Bは、本開示の態様による構成300-bの一例を示す。いくつかの例では、構成300-bは、構成300-aの態様を実装し得る。いくつかの例では、構成300-bは、ワイヤレス通信システム100および200の態様を実装し得る。たとえば、構成300-bは、ダウンリンク送信およびアップリンク送信のためのTB反復処理をサポートし得る。構成300-bは、アップリンクまたはダウンリンクにおけるTBの送信反復220の反復ウィンドウ310の例を示すことができ、反復ウィンドウ310は1つまたは複数のTTIにわたり得る。
【０１０２】
いくつかの場合、基地局105-aおよび/またはUE115-aは、初期送信のTTIインデックスおよび受信された制御情報に少なくとも部分的に基づいて、送信反復220の一部分が境界315-aおよび/または境界315-b(たとえば、スロット境界もしくはeIMTA境界、または両方)にまたがると決定し得る。UE115-aはまた、UE115-aが境界315-aおよび/または境界315-bにまたがることをサポートするように構成されると識別し得る。境界315-aおよび/または境界315-bを越えることが許容可能である場合、基地局105-aおよび/またはUE115-aは、次のサブフレームおよび/またはeIMTAにおけるTTIパターンを決定し得る。たとえば、基地局105-aおよび/またはUE115-aは、境界315-aおよび/または境界315-bの後に現れる第2のサブフレームの第2のスロットにおける利用可能なTTI305(たとえば、305-j)の量を識別し得る。
【０１０３】
いくつかの場合、基地局105-aおよび/またはUE115-aは、たとえば、仕様構成ならびに/あるいは基地局105-aおよび/またはUE115-aの能力に少なくとも部分的に基づいて、送信反復220の一部分が境界315-aおよび/または境界315-b(たとえば、スロット境界もしくはeIMTA境界、または両方)にまたがることを期待しないことがある。いくつかの例では、基地局105-aおよび/またはUE115-aは、利用可能なTTIの量に基づいて、物理ダウンリンク共有チャネル(PDSCH)が第2のスロットおよび/または第2のサブフレームにおけるTTI305のリソースにマッピングされないと決定し得る。結果として、基地局105-aおよび/またはUE115-aは、PDSCHがTTIにマッピングされないことに基づいてTTI(たとえば、TTI305-j)をパンクチャし、パンクチャに基づいて送信反復の一部分を監視し得る。たとえば、UE115-aは、送信反復220の一部分が境界315-aおよび/または境界315-bにまたがることを必要とする値を有し得る反復係数Kを受信することがあり、次いで、UE115-aは、最後の送信が現在のサブフレームの最後のTTI305を越える、すなわち、境界315-aおよび/または境界315-bの他方の側の他の送信がパンクチャされ得ることを想定することがある。
【０１０４】
いくつかの場合、基地局105-aおよび/またはUE115-aは、TTIインデックスに関連付けられた初期TTIがTBの送信反復220に関連付けられた初期送信に利用可能であるかどうかを決定し得る。いくつかの例では、UE115-aは、TTI305-dが制御チャネルシグナリング用に構成されることを示し得る、RRCを介して送信された制御フォーマットインジケータ(CFI)を受信し得る。たとえば、CFIのフィールドにおける「1」の値は、TTIインデックスに関連付けられた初期TTIが送信に利用可能であることを示すことができ、CFIのフィールドにおける「2」の値は、初期TTIが送信に利用不可能であることを示すことができる。この場合、初期TB送信はTTI305-dにおいて行われることができず、このTTIインデックスに対応するように反復ウィンドウ310を定義することができない。したがって、UE115-aは、TBの送信反復220に関連付けられた初期送信を後のTTI、たとえば、TTI305-eに延期し得る。
【０１０５】
いくつかの場合、UE115-aは、TTI305-dの直後に開始する残りのPDSCHを受信することを期待され得る。代替として、UE115-aは、送信をパンクチャし、次のTTIの間に後続の送信反復220を監視し得る。この場合、反復係数KはK-1であり得る。UE115-aは、CFIが動的に示されるかまたは半静的に示されるかに基づいて、初期送信を延期するかまたはパンクチャするかを決定し得る。たとえば、UE115-aは、物理制御フォーマットインジケータチャネル(PCFICH)上でまたは上位レイヤシグナリングを介してCFIを受信し、CFIが動的に示されるかまたは半静的に示されるかに基づいて、初期送信を延期することまたはパンクチャすることを決定し得る。
【０１０６】
TBの送信反復をサポートすることによって、基地局105-aおよび/またはUE115-aは、ワイヤレス通信システム200において信頼性を強化し、レイテンシを低減するための効率的な方法を提供し得る。許可ベースのアップリンクTB送信反復の場合、同様のプロセスがダウンリンクについて上記で説明したように実行され得る。
【０１０７】
図4は、本開示の態様によるプロセスフロー400の一例を示す。いくつかの例では、プロセスフロー400は、ワイヤレス通信システム100および200の態様を実装し得る。プロセスフロー400はまた、ワイヤレス通信システムにおいて通信(たとえば、信頼性)を強化し、レイテンシを低減するための効率的な方法で、ダウンリンク送信およびアップリンク送信のためのTBの送信反復をサポートし得る。基地局105-bおよびUE115-bは、図1および図2を参照しながら説明した対応するデバイスの例であり得る。
【０１０８】
プロセスフロー400の以下の説明では、基地局105-bとUE115-bとの間の動作は、示される例示的な順序とは異なる順序で送信されることがあり、または基地局105-bおよびUE115-bによって実行される動作は、異なる順序でもしくは異なる時間に実行されることがある。いくつかの動作がプロセスフロー400から外されることもあり、または他の動作がプロセスフロー400に追加されることがある。
【０１０９】
いくつかの例では、プロセスフロー400は、基地局105-bがUE115-bとの接続を確立する(たとえば、セル収集手順、ランダムアクセス手順、RRC接続手順、RRC構成手順を実行する)ことから開始し得る。基地局105-bは、接続確立の一部として、TBのアップリンク送信反復またはダウンリンク送信反復のいずれかをスケジュールするために、(たとえば、制御情報において)許可をUE115-bに送り得る。
【０１１０】
405において、基地局105-bは任意選択で、TBの初期送信のためのTTIインデックスを識別し得る。TBは、アップリンクTBまたはダウンリンクTBの一例であってもよく、TTIは、追加または代替として、サブフレームのスロットの一部であってもよい。いくつかの例では、TTIはsTTIであり得る。410において、基地局105-bはまた、任意選択で、TTIインデックスに基づいてTBの送信反復の量を決定し得る。いくつかの場合、送信反復の数とTTIインデックスとの間の相関は、スロット境界、サブフレーム境界、eIMTA境界、またはそれらの組合せに基づき得る。
【０１１１】
415において、基地局105-bは、制御情報をUE115-bに送信し得る。たとえば、基地局105-bは、許可をUE115-bに送信し得る。この許可は、ダウンリンク許可またはアップリンク許可の一例であり得る。許可は、複数のTTIに対するTBの送信反復(たとえば、反復係数K)の指示、もしくはTBの初期送信のためのTTIインデックスの指示、または両方を含め、TB送信またはTB受信に使用すべきリソースを示し得る。eIMTAのいくつかの例では、本明細書で説明するようなワイヤレス通信システムは、ダウンリンクにおける反復がアップリンクサブフレームにまたがり得るかどうかを決定し得る。境界(たとえば、スロット境界、サブフレーム境界)を越えるTB反復についての本明細書で説明する本技法は、ダウンリンクサブフレーム、特殊サブフレーム、アップリンクサブフレームなど(たとえば、DSUDサブフレーム)について同様に実行され得る。たとえば、基地局105-bおよび/またはUE115-bがDSUDサブフレームを使用して送信反復を提供しており、送信反復の一部分がアップリンクサブフレームのアップリンク部分を越えて、次のダウンリンクサブフレームに到達する必要がある場合、基地局105-bおよび/またはUE115-bは、境界(たとえば、スロット境界、サブフレーム境界)を越えるTB反復についての本明細書で説明する技法をサポートし、その技法をDSUDサブフレームに適用する(たとえば、送信反復をパンクチャする、遅延させるなど)ことができる。
【０１１２】
420において、UE115-bは、基地局105-bから制御情報を受信し得る。425において、UE115-bは、TBの送信反復の量を識別し得る。識別は、受信された制御情報に基づき得る。430において、UE115-bは任意選択で、UE115-bがサブフレーム境界、eIMTA境界、もしくはスロット境界、またはそれらの組合せにまたがることをサポートするように構成されるかどうかを決定し得る。
【０１１３】
435において、UE115-bは、たとえば、送信反復の識別された量および/またはUE115-bが境界(すなわち、サブフレーム境界、eIMTA境界、もしくはスロット境界、またはそれらの組合せ)にまたがることをサポートするように構成されるかどうかの決定に基づいて、TBの送信反復を監視し得る。いくつかの例では、UE115-bは、TTIインデックスおよび決定された送信反復の数に基づいて、TBの送信反復を監視し得る。たとえば、UE115-bは、示されたTTIインデックスに対応するTTIから開始し、かつ決定された送信反復の数に等しいいくつかのTTIにわたる、反復ウィンドウにおいて監視し得る。反復ウィンドウは、同じTBが反復される1つまたは複数のTTIにわたる時間期間を指すことがある。各TTIが単一のTB送信を含み得るので、より多数の送信反復はより長い反復ウィンドウに対応し得る(たとえば、反復ウィンドウの中のTTIの数がTB送信反復の数に等しい場合)。いくつかの例では、UE115-bは、監視プロセスの間にTBの1つまたは複数のダウンリンク送信反復を受信したことに基づいてTBを受信し得る。代替として、UE115-bは、TTIインデックスおよび識別された送信反復の数に基づいてTBのアップリンク送信反復を送信してもよく、基地局105-bは、初期TTIおよび送信反復の数によって定義された反復ウィンドウにおいてこれらのTB反復を監視してもよい。
【０１１４】
図5は、本開示の態様によるデバイス505のブロック図500を示す。デバイス505は、本明細書で説明するようなデバイスの態様の一例であり得る。デバイス505は、受信機510、通信マネージャ515、および送信機520を含み得る。デバイス505はまた、プロセッサを含み得る。これらの構成要素の各々は、(たとえば、1つまたは複数のバスを介して)互いと通信していることがある。
【０１１５】
受信機510は、パケット、ユーザデータ、または様々な情報チャネル(たとえば、制御チャネル、データチャネル)に関連付けられた制御情報などの情報、および反復ベースの送信をサポートすることについてのさらなる詳細に関する情報などを受信し得る。情報は、デバイス505の他の構成要素に渡され得る。受信機510は、図8を参照しながら説明するトランシーバ820の態様の一例であり得る。受信機510は、単一のアンテナまたはアンテナのセットを利用し得る。
【０１１６】
通信マネージャ515は、サブフレームのTTIの間に、TTIのセットに対するTBの送信反復の指示を含む制御情報を受信し、制御情報に基づいてTBの送信反復の量を識別し、識別に基づいてTBの送信反復を監視し得る。通信マネージャ515は、本明細書で説明する通信マネージャ810の態様の一例であり得る。
【０１１７】
デバイス505または本明細書で説明する任意の他のデバイス(たとえば、UE115)は、本明細書で説明するような反復ベースの送信を有益にサポートし得る。たとえば、デバイス505は、TB送信の複数の反復の送信、受信、または両方を管理することができ、このことは、送信されるTBの反復一貫性の改善をもたらし得る。
【０１１８】
通信マネージャ515またはその下位構成要素は、ハードウェア、プロセッサによって実行されるコード(たとえば、ソフトウェアまたはファームウェア)、またはそれらの任意の組合せにおいて実装され得る。プロセッサによって実行されるコードにおいて実装される場合、通信マネージャ515またはその下位構成要素の機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１１９】
通信マネージャ515またはその下位構成要素は、機能の部分が1つまたは複数の物理構成要素によって異なる物理的ロケーションにおいて実装されるように分散されることを含めて、様々な位置に物理的に配置され得る。いくつかの例では、通信マネージャ515またはその下位構成要素は、本開示の様々な態様による別個の異なる構成要素であり得る。いくつかの例では、通信マネージャ515またはその下位構成要素は、限定はしないが、入力/出力(I/O)構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わされ得る。
【０１２０】
送信機520は、デバイス505の他の構成要素によって生成された信号を送信し得る。いくつかの例では、送信機520は、トランシーバモジュールにおいて受信機510とコロケートされ得る。たとえば、送信機520は、図8を参照しながら説明するトランシーバ820の態様の一例であり得る。送信機520は、単一のアンテナまたはアンテナのセットを利用し得る。
【０１２１】
図6は、本開示の態様によるデバイス605のブロック図600を示す。デバイス605は、本明細書で説明するようなデバイス505またはデバイス115の態様の一例であり得る。デバイス605は、受信機610、通信マネージャ615、および送信機630を含み得る。デバイス605はまた、プロセッサを含み得る。これらの構成要素の各々は、(たとえば、1つまたは複数のバスを介して)互いと通信していることがある。
【０１２２】
受信機610は、パケット、ユーザデータ、または様々な情報チャネル(たとえば、制御チャネル、データチャネル)に関連付けられた制御情報などの情報、および反復ベースの送信をサポートすることについてのさらなる詳細に関する情報などを受信し得る。たとえば、受信機610は、サブフレームのTTIの間に、TTIのセットに対するTBの送信反復の指示を含む制御情報を受信し得る。情報は、デバイス605の他の構成要素に渡され得る。受信機610は、図8を参照しながら説明するトランシーバ820の態様の一例であり得る。受信機610は、単一のアンテナまたはアンテナのセットを利用し得る。
【０１２３】
通信マネージャ615は、本明細書で説明するような通信マネージャ515の態様の一例であり得る。通信マネージャ615は、識別構成要素620および監視構成要素625を含み得る。通信マネージャ615は、本明細書で説明する通信マネージャ810の態様の一例であり得る。識別構成要素620は、制御情報に基づいてTBの送信反復の量を識別し得る。監視構成要素625は、識別に基づいてTBの送信反復を監視し得る。
【０１２４】
送信機630は、デバイス605の他の構成要素によって生成された信号を送信し得る。いくつかの例では、送信機630は、トランシーバモジュールにおいて受信機610とコロケートされ得る。たとえば、送信機630は、図8を参照しながら説明するトランシーバ820の態様の一例であり得る。送信機635は、単一のアンテナまたはアンテナのセットを利用し得る。
【０１２５】
図7は、本開示の態様による通信マネージャ705のブロック図700を示す。通信マネージャ705は、本明細書で説明する通信マネージャ515、通信マネージャ615、または通信マネージャ810の態様の一例であり得る。通信マネージャ705は、識別構成要素710、監視構成要素715、決定構成要素720、中断構成要素725、パンクチャ構成要素730、および遅延構成要素735を含み得る。これらのモジュールの各々は、直接または間接的に(たとえば、1つまたは複数のバスを介して)互いと通信し得る。
【０１２６】
いくつかの例では、識別構成要素710は、制御情報に関連付けられたCFIのフィールドにおける値を識別し得る。いくつかの例では、CFIのフィールドにおける値は2であり得る。いくつかの例では、識別構成要素710は、ワイヤレスデバイス(たとえば、デバイス505、デバイス605、またはUE115)の構成を識別し得る。いくつかの例では、構成を識別することは、ワイヤレスデバイスの能力に基づき得る。能力は、DMRS共有能力、DMRS結合能力、構成シグナリング、またはサブフレーム境界のそれぞれの側のTTIに対するDMRS共有能力もしくはDMRS結合能力の指示、あるいはそれらの組合せを含み得る。
【０１２７】
いくつかの例では、識別構成要素710は、構成に基づいて、デバイス505、デバイス605、または本明細書で説明するようなデバイスがサブフレーム境界またはスロット境界にまたがることをサポートするように構成されないと識別し得る。いくつかの例では、識別構成要素710は、構成に基づいて、デバイス505、デバイス605、または本明細書で説明するようなデバイスがサブフレーム境界またはスロット境界にまたがることをサポートするように構成されると識別し得る。いくつかの例では、識別構成要素710は、デバイス505、デバイス605、または本明細書で説明するようなデバイスがサブフレーム境界またはスロット境界にまたがることをサポートするように構成されることに基づいて、第2のサブフレームの第2のスロットにおける利用可能なTTIの量を識別し得る。
【０１２８】
いくつかの例では、識別構成要素710は、TBの送信反復に関連付けられた初期送信のためのTTIインデックスを識別し得る。いくつかの例では、識別構成要素710は、制御情報に関連付けられたCFIのフィールドにおける値を識別することができ、初期TTIが初期送信に利用可能であるかどうかを決定することは、CFIのフィールドにおける値にさらに基づく。
【０１２９】
いくつかの例では、識別構成要素710は、構成に基づいて、デバイス505、デバイス605、または本明細書で説明するようなデバイスがeIMTA境界にまたがることをサポートするように構成されないと識別することができ、TBの送信反復を監視することは、デバイス505、デバイス605、または本明細書で説明するようなデバイスがeIMTA境界にまたがることをサポートするように構成されないことに基づいて、eIMTA境界の後に行われる送信反復の一部分を監視するのを中断することをさらに含む。いくつかの例では、識別構成要素710は、構成に基づいて、デバイス505、デバイス605、または本明細書で説明するようなデバイスがeIMTA境界にまたがることをサポートするように構成されると識別することができ、TBの送信反復を監視することは、デバイス505、デバイス605、または本明細書で説明するようなデバイスがeIMTA境界にまたがることをサポートするように構成されることに基づいて、eIMTA境界の後に行われる送信反復の一部分を監視することをさらに含む。いくつかの例では、識別構成要素710は、デバイス505、デバイス605、または本明細書で説明するようなデバイスがeIMTA境界にまたがることをサポートするように構成されることに基づいて、第2のサブフレームの第2のスロットにおける利用可能なTTIの量を識別し得る。
【０１３０】
監視構成要素715は、識別に基づいてTBの送信反復を監視し得る。いくつかの例では、監視構成要素715は、構成に基づいて、サブフレーム境界またはスロット境界にまたがる送信反復の一部分を監視し得る。いくつかの例では、監視構成要素715は、パンクチャに基づいて、第2のサブフレームの第2のスロットの間に、送信反復の一部分を監視し得る。いくつかの例では、監視構成要素715は、初期TTIの後の第2のTTIの間に、送信反復の量の後続のTB送信を監視し得る。いくつかの例では、監視構成要素715は、構成に基づいて、eIMTA境界にまたがる送信反復の一部分を監視し得る。
【０１３１】
いくつかの例では、監視構成要素715は、TBの反復送信についてPDSCHを監視し得る。決定構成要素720は、CFIのフィールドにおける値に少なくとも部分的に基づいて、第2のTTIがTBの送信反復のうちの1つを送信するために利用可能ではないと決定し得る。いくつかの例では、第2のTTIはミニスロットであり得る。いくつかの例では、決定構成要素720は、ワイヤレスデバイス(たとえば、デバイス505、デバイス605、またはUE115)が本明細書で説明する利点のうちの1つまたは複数を実現することを可能にし得る。たとえば、決定構成要素720は、ワイヤレスデバイスが第2のTTIを監視するのを回避することを可能にすることができ、このことは、数ある利点の中でも、より低い計算複雑度、有益な電力節約をもたらし得る。
【０１３２】
いくつかの例では、決定構成要素720は、構成に基づいて、デバイス505、デバイス605、または本明細書で説明するようなデバイスがサブフレーム境界またはスロット境界にまたがることをサポートするように構成されるかどうかを決定し得る。いくつかの例では、決定構成要素720は、初期送信のTTIインデックスおよび制御情報に基づいて、送信反復の一部分がサブフレーム境界またはスロット境界にまたがると決定し得る。
【０１３３】
いくつかの例では、決定構成要素720は、デバイス505、デバイス605、または本明細書で説明するようなデバイスがサブフレーム境界またはスロット境界にまたがることをサポートするように構成されないことに基づいて、TBの送信反復のための利用可能なTTIの量を決定し得る。いくつかの例では、決定構成要素720は、利用可能なTTIの量がTBの送信反復の量に対するTTIのセットを下回ると決定し得る。いくつかの例では、決定構成要素720は、初期送信のTTIインデックスおよび制御情報に基づいて、送信反復の一部分がサブフレーム境界またはスロット境界にまたがると決定し得る。いくつかの例では、決定構成要素720は、利用可能なTTIの量を識別したことに基づいて、PDSCHが第2のサブフレームの第2のスロットにおけるTTIのリソースにマッピングされないと決定し得る。
【０１３４】
いくつかの例では、決定構成要素720は、制御情報に基づいて、TTIインデックスに関連付けられた初期TTIがTBの送信反復に関連付けられた初期送信に利用可能であるかどうかを決定し得る。いくつかの例では、決定構成要素720は、CFIのフィールドにおける値に基づいて、TTIインデックスに関連付けられた初期TTIが初期送信に利用不可能であると決定し得る。いくつかの例では、決定構成要素720は、CFIのフィールドにおける値に基づいて、TTIインデックスに関連付けられた初期TTIが初期送信に利用不可能であると決定し得る。
【０１３５】
いくつかの例では、決定構成要素720は、構成に基づいて、デバイス505、デバイス605、または本明細書で説明するようなデバイスがeIMTA境界にまたがることをサポートするように構成されるかどうかを決定し得る。いくつかの例では、決定構成要素720は、制御情報に基づいて、サブフレームのサブフレーム構成を決定し得る。いくつかの例では、決定構成要素720は、サブフレーム構成に基づいて、送信反復の一部分がeIMTA境界にまたがると決定し得る。
【０１３６】
いくつかの例では、決定構成要素720は、デバイス505、デバイス605、または本明細書で説明するようなデバイスがeIMTA境界にまたがることをサポートするように構成されないことに基づいて、TBの送信反復のための利用可能なTTIの量を決定することができ、TBの送信反復を監視することは、利用可能なTTIの量にさらに基づく。いくつかの例では、決定構成要素720は、初期送信のTTIインデックスおよび制御情報に基づいて、送信反復の一部分がeIMTA境界にまたがると決定し得る。いくつかの例では、決定構成要素720は、DCIにおいて受信された指示に少なくとも部分的に基づいて、利用可能なTTIの量の最終TTIまでTBの送信反復を監視することを決定し得る。
【０１３７】
いくつかの例では、決定構成要素720は、送信反復の一部分がサブフレーム構成に関連付けられた特殊切替えサブフレーム(SSF)のアップリンク部分にまたがると決定することができ、TBの送信反復を監視することは、ワイヤレスデバイスがSSFにまたがることをサポートするように構成されないことに少なくとも部分的に基づいて、SSFのアップリンク部分の後に行われる送信反復の一部分を監視するのを中断することをさらに含む。いくつかの例では、決定構成要素720は、送信反復の一部分がサブフレーム構成に関連付けられたアップリンクサブフレームにまたがると決定することができ、送信反復は、ダウンリンク送信におけるものであり、TBの送信反復を監視することは、ワイヤレスデバイスがアップリンクサブフレームにまたがることをサポートするように構成されないことに少なくとも部分的に基づいて、アップリンクサブフレームの後に行われる送信反復の一部分を監視するのを中断することをさらに含む。
【０１３８】
いくつかの例では、決定構成要素720は、送信反復の一部分がサブフレーム構成に関連付けられたSSFのアップリンク部分にまたがると決定することができ、TBの送信反復を監視することは、ワイヤレスデバイスがSSFにまたがることをサポートするように構成されることに少なくとも部分的に基づいて、SSFのアップリンク部分の後に行われる送信反復の一部分を監視するためにSSFの後のサブフレームを遅延させるまたはパンクチャすることをさらに含む。いくつかの例では、決定構成要素720は、送信反復の一部分がサブフレーム構成に関連付けられたアップリンクサブフレームにまたがると決定することができ、送信反復は、ダウンリンク送信におけるものであり、TBの送信反復を監視することは、ワイヤレスデバイスがアップリンクサブフレームにまたがることをサポートするように構成されることに少なくとも部分的に基づいて、アップリンクサブフレームの後に行われる送信反復の一部分を監視するためにアップリンクサブフレームの後のサブフレームを遅延させるまたはパンクチャすることをさらに含む。
【０１３９】
中断構成要素725は、利用可能なTTIの量の最終TTIの後にTTIのセットのうちの少なくとも1つを監視するのを中断し得る。パンクチャ構成要素730は、PDSCHがTTIにマッピングされないことに基づいて、第2のサブフレームの第2のスロットにおけるTTIをパンクチャし得る。いくつかの例では、パンクチャ構成要素730は、初期TTIが利用不可能であるとの決定に基づいて、初期TTIをパンクチャし得る。いくつかの例では、パンクチャ構成要素730は、PDSCHがTTIにマッピングされないことに基づいて、第2のサブフレームの第2のスロットにおけるTTIをパンクチャし得る。遅延構成要素735は、初期送信を初期TTIの後の第2のTTIに遅延させ得る。
【０１４０】
図8は、本開示の態様によるデバイス805を含むシステム800の図を示す。デバイス805は、デバイス505、デバイス605、または本明細書で説明するようなデバイスの構成要素の一例であり得るか、またはそれらの構成要素を含み得る。デバイス805は、通信マネージャ810と、I/Oコントローラ815と、トランシーバ820と、アンテナ825と、メモリ830と、プロセッサ840とを含む、通信を送信および受信するための構成要素を含む、双方向の音声およびデータ通信のための構成要素を含み得る。これらの構成要素は、1つまたは複数のバス(たとえば、バス845)を介して電子通信していることがある。
【０１４１】
通信マネージャ810は、サブフレームのTTIの間に、TTIのセットに対するTBの送信反復の指示を含む制御情報を受信し、制御情報に基づいてTBの送信反復の量を識別し、識別に基づいてTBの送信反復を監視し得る。
【０１４２】
I/Oコントローラ815は、デバイス805のための入力信号および出力信号を管理し得る。I/Oコントローラ815はまた、デバイス805に組み込まれていない周辺装置を管理し得る。いくつかの場合、I/Oコントローラ815は、外部周辺装置への物理接続またはポートを表し得る。いくつかの場合、I/Oコントローラ815は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合、I/Oコントローラ815は、モデム、キーボード、マウス、タッチスクリーン、または同様のデバイスを表すか、またはそれと対話し得る。いくつかの場合、I/Oコントローラ815は、プロセッサの一部として実装され得る。いくつかの場合、ユーザは、I/Oコントローラ815を介して、またはI/Oコントローラ815によって制御されるハードウェア構成要素を介して、デバイス805と対話し得る。
【０１４３】
トランシーバ820は、上記で説明したように、1つまたは複数のアンテナ、ワイヤードリンク、またはワイヤレスリンクを介して、双方向に通信し得る。たとえば、トランシーバ820は、ワイヤレストランシーバを表すことがあり、別のワイヤレストランシーバと双方向に通信し得る。トランシーバ820はまた、パケットを変調し、変調されたパケットを送信のためにアンテナに提供するための、かつアンテナから受信されたパケットを復調するためのモデムを含み得る。いくつかの場合、ワイヤレスデバイスは、単一のアンテナ825を含み得る。しかしながら、いくつかの場合、デバイスは、複数のワイヤレス送信を同時に送信または受信することが可能であり得る2つ以上のアンテナ825を有し得る。
【０１４４】
メモリ830は、ランダムアクセスメモリ(RAM)および読取り専用メモリ(ROM)を含み得る。メモリ830は、実行されると、本明細書で説明する様々な機能をプロセッサに実行させる命令を含む、コンピュータ可読、コンピュータ実行可能コード835を記憶し得る。いくつかの場合、メモリ830は、特に、周辺構成要素またはデバイスとの対話などの基本的なハードウェア動作またはソフトウェア動作を制御し得る基本入出力システム(BIOS)を含み得る。
【０１４５】
プロセッサ840は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ840は、メモリコントローラを使用してメモリアレイを動作させるように構成され得る。他の場合、メモリコントローラは、プロセッサ840に組み込まれ得る。プロセッサ840は、様々な機能(たとえば、ダウンリンクおよび/またはアップリンクのための反復ベースの送信をサポートすることについてのさらなる詳細をサポートする機能またはタスク)をデバイス805に実行させるために、メモリ(たとえば、メモリ830)に記憶されたコンピュータ可読命令を実行するように構成され得る。
【０１４６】
コード835は、ワイヤレス通信をサポートするための命令を含む、本開示の態様を実装するための命令を含み得る。コード835は、システムメモリまたは他のタイプのメモリなどの非一時的コンピュータ可読記憶媒体に記憶され得る。いくつかの場合、コード835は、プロセッサ840によって直接実行可能ではないことがあるが、(たとえば、コンパイルされ実行されると)本明細書で説明する機能をコンピュータに実行させ得る。
【０１４７】
図9は、本開示の態様による方法900を示すフローチャートを示す。方法900の動作は、本明細書で説明するようなデバイスまたはその構成要素によって実装され得る。たとえば、方法900の動作は、図5〜図8を参照しながら説明したような通信マネージャによって実行され得る。いくつかの例では、デバイスは、以下で説明する機能を実行するようにデバイスの機能要素を制御するための命令のセットを実行し得る。追加または代替として、デバイスは、専用ハードウェアを使用して、以下で説明する機能の態様を実行し得る。
【０１４８】
905において、デバイスは、サブフレームのTTIの間に、TTIのセットに対するTBの送信反復の指示を含む制御情報を受信し得る。いくつかの例では、制御情報の受信は、サブフレームのスロット(たとえば、第1のスロットまたは第2のスロット)のTTIの間に行われ得る。905の動作は、本明細書で説明する方法に従って実行され得る。いくつかの例では、905の動作の態様は、図5〜図8を参照しながら説明したような受信機によって実行され得る。
【０１４９】
910において、デバイスは、受信された制御情報に基づいてTBの送信反復の量を識別し得る。910の動作は、本明細書で説明する方法に従って実行され得る。いくつかの例では、910の動作の態様は、図5〜図8を参照しながら説明したような識別構成要素によって実行され得る。
【０１５０】
915において、デバイスは、識別に基づいてTBの送信反復を監視し得る。915の動作は、本明細書で説明する方法に従って実行され得る。いくつかの例では、915の動作の態様は、図5〜図8を参照しながら説明したような監視構成要素によって実行され得る。
【０１５１】
図10は、本開示の態様による方法1000を示すフローチャートを示す。方法1000の動作は、本明細書で説明するようなデバイスまたはその構成要素によって実装され得る。たとえば、方法1000の動作は、図5〜図8を参照しながら説明したような通信マネージャによって実行され得る。いくつかの例では、デバイスは、以下で説明する機能を実行するようにデバイスの機能要素を制御するための命令のセットを実行し得る。追加または代替として、デバイスは、専用ハードウェアを使用して、以下で説明する機能の態様を実行し得る。
【０１５２】
1005において、デバイスは、サブフレームのTTIの間に、TTIのセットに対するTBの送信反復の指示を含む制御情報を受信し得る。1005の動作は、本明細書で説明する方法に従って実行され得る。いくつかの例では、1005の動作の態様は、図5〜図8を参照しながら説明したような受信機によって実行され得る。
【０１５３】
1010において、デバイスは、制御情報に基づいてTBの送信反復の量を識別し得る。1010の動作は、本明細書で説明する方法に従って実行され得る。いくつかの例では、1010の動作の態様は、図5〜図8を参照しながら説明したような識別構成要素によって実行され得る。
【０１５４】
1015において、デバイスは、デバイスの構成を識別し得る。1015の動作は、本明細書で説明する方法に従って実行され得る。いくつかの例では、1015の動作の態様は、図5〜図8を参照しながら説明したような識別構成要素によって実行され得る。
【０１５５】
1020において、デバイスは、構成に基づいて、デバイスがサブフレーム境界またはスロット境界にまたがることをサポートするように構成されるかどうかを決定し得る。1020の動作は、本明細書で説明する方法に従って実行され得る。いくつかの例では、1020の動作の態様は、図5〜図8を参照しながら説明したような決定構成要素によって実行され得る。
【０１５６】
1025において、デバイスは、識別に基づいてTBの送信反復を監視し得る。1025の動作は、本明細書で説明する方法に従って実行され得る。いくつかの例では、1025の動作の態様は、図5〜図8を参照しながら説明したような監視構成要素によって実行され得る。
【０１５７】
図11は、本開示の態様による方法1100を示すフローチャートを示す。方法1100の動作は、本明細書で説明するようなデバイスまたはその構成要素によって実装され得る。たとえば、方法1100の動作は、図5〜図8を参照しながら説明したような通信マネージャによって実行され得る。いくつかの例では、デバイスは、以下で説明する機能を実行するようにデバイスの機能要素を制御するための命令のセットを実行し得る。追加または代替として、デバイスは、専用ハードウェアを使用して、以下で説明する機能の態様を実行し得る。
【０１５８】
1105において、デバイスは、サブフレームのTTIの間に、TTIのセットに対するTBの送信反復の指示を含む制御情報を受信し得る。1105の動作は、本明細書で説明する方法に従って実行され得る。いくつかの例では、1105の動作の態様は、図5〜図8を参照しながら説明したような受信機によって実行され得る。
【０１５９】
1110において、デバイスは、制御情報に基づいてTBの送信反復の量を識別し得る。1110の動作は、本明細書で説明する方法に従って実行され得る。いくつかの例では、1110の動作の態様は、図5〜図8を参照しながら説明したような識別構成要素によって実行され得る。
【０１６０】
1115において、デバイスは、デバイスの構成を識別し得る。1115の動作は、本明細書で説明する方法に従って実行され得る。いくつかの例では、1115の動作の態様は、図5〜図8を参照しながら説明したような識別構成要素によって実行され得る。
【０１６１】
1120において、デバイスは、構成に基づいて、デバイスがeIMTA境界にまたがることをサポートするように構成されるかどうかを決定し得る。1120の動作は、本明細書で説明する方法に従って実行され得る。いくつかの例では、1120の動作の態様は、図5〜図8を参照しながら説明したような決定構成要素によって実行され得る。
【０１６２】
1125において、デバイスは、TBの送信反復を監視し得る。1125の動作は、本明細書で説明する方法に従って実行され得る。いくつかの例では、1125の動作の態様は、図5〜図8を参照しながら説明したような監視構成要素によって実行され得る。
【０１６３】
図12は、本開示の態様による方法1200を示すフローチャートを示す。方法1200の動作は、本明細書で説明するようなデバイスまたはその構成要素によって実装され得る。たとえば、方法1200の動作は、図5〜図8を参照しながら説明したような通信マネージャによって実行され得る。いくつかの例では、デバイスは、以下で説明する機能を実行するようにデバイスの機能要素を制御するための命令のセットを実行し得る。追加または代替として、デバイスは、専用ハードウェアを使用して、以下で説明する機能の態様を実行し得る。
【０１６４】
1205において、デバイスは、サブフレームのTTIの間に、TTIのセットに対するTBの送信反復の指示を含む制御情報を受信し得る。1205の動作は、本明細書で説明する方法に従って実行され得る。いくつかの例では、1205の動作の態様は、図5〜図8を参照しながら説明したような受信機によって実行され得る。
【０１６５】
1210において、デバイスは、制御情報に基づいてTBの送信反復の量を識別し得る。1210の動作は、本明細書で説明する方法に従って実行され得る。いくつかの例では、1210の動作の態様は、図5〜図8を参照しながら説明したような識別構成要素によって実行され得る。
【０１６６】
1215において、デバイスは、デバイスの構成を識別し得る。1215の動作は、本明細書で説明する方法に従って実行され得る。いくつかの例では、1215の動作の態様は、図5〜図8を参照しながら説明したような識別構成要素によって実行され得る。
【０１６７】
1220において、デバイスは、構成に基づいて、デバイスがeIMTA境界にまたがることをサポートするように構成されるかどうかを決定し得る。1220の動作は、本明細書で説明する方法に従って実行され得る。いくつかの例では、1220の動作の態様は、図5〜図8を参照しながら説明したような決定構成要素によって実行され得る。
【０１６８】
1225において、デバイスは、制御情報に基づいて、サブフレームのサブフレーム構成を決定し得る。1225の動作は、本明細書で説明する方法に従って実行され得る。いくつかの例では、1225の動作の態様は、図5〜図8を参照しながら説明したような決定構成要素によって実行され得る。
【０１６９】
1230において、デバイスは、サブフレーム構成に基づいて、送信反復の一部分がeIMTA境界にまたがると決定し得る。1230の動作は、本明細書で説明する方法に従って実行され得る。いくつかの例では、1230の動作の態様は、図5〜図8を参照しながら説明したような決定構成要素によって実行され得る。
【０１７０】
1235において、デバイスは、TBの送信反復を監視し得る。1235の動作は、本明細書で説明する方法に従って実行され得る。いくつかの例では、1235の動作の態様は、図5〜図8を参照しながら説明したような監視構成要素によって実行され得る。
【０１７１】
上記で説明した方法は可能な実装形態について説明したものであり、動作およびステップが再構成されるかまたは別様に修正される場合があり、他の実装形態が可能であることに留意されたい。さらに、方法のうちの2つ以上からの態様が組み合わされ得る。
【０１７２】
本明細書で説明する技法は、符号分割多元接続(CDMA(登録商標))、時分割多元接続(TDMA)、周波数分割多元接続(FDMA)、直交周波数分割多元接続(OFDMA)、シングルキャリア周波数分割多元接続(SC-FDMA)、および他のシステムなどの様々なワイヤレス通信システムに使用され得る。CDMA(登録商標)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(登録商標)(WCDMA(登録商標))およびCDMA(登録商標)の他の変形態を含む。TDMAシステムは、モバイル通信用グローバルシステム(GSM(登録商標))などの無線技術を実装し得る。
【０１７３】
OFDMAシステムは、ウルトラモバイルブロードバンド(UMB)、発展型UTRA(E-UTRA)、電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSM(登録商標)は、「第3世代パートナーシッププロジェクト」(3GPP)という名称の団体からの文書に記載されている。CDMA2000およびUMBは、「第3世代パートナーシッププロジェクト2」(3GPP2)という名称の団体からの文書に記載されている。本明細書で説明する技法は、上述のシステムおよび無線技術、ならびに他のシステムおよび無線技術に使用され得る。LTE、LTE-A、LTE-A Pro、またはNRシステムの態様について例として説明することがあり、LTE、LTE-A、LTE-A Pro、またはNR用語が説明の大部分において使用されることがあるが、本明細書で説明する技法は、LTE、LTE-A、LTE-A Pro、またはNR適用例以外に適用可能である。
【０１７４】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連付けられることがあり、スモールセルは、マクロセルと同じまたはマクロセルとは異なる(たとえば、認可、無認可など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルも、小さい地理的エリア(たとえば、自宅)をカバーすることができ、フェムトセルとの関連付けを有するUE115(たとえば、限定加入者グループ(CSG)内のUE115、自宅内のユーザのためのUE115など)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセルをサポートすることができ、1つまたは複数のコンポーネントキャリアを使用する通信もサポートすることができる。
【０１７５】
本明細書で説明する1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ整合されることがある。非同期動作の場合、基地局105は、異なるフレームタイミングを有することがあり、異なる基地局105からの送信は、時間的に整合されないことがある。本明細書で説明する技法は、同期動作または非同期動作のいずれかに使用され得る。
【０１７６】
本明細書で説明する情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１７７】
本明細書の本開示に関して説明する様々な例示的なブロックおよびモジュールは、汎用プロセッサ、DSP、ASIC、FPGAもしくは他のプログラマブル論理デバイス(PLD)、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１７８】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読記憶媒体上に記憶されるか、またはコンピュータ可読記憶媒体を介して送信され得る。他の例および実装形態は、本開示および添付の特許請求の範囲の範囲内に入る。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。
【０１７９】
コンピュータ可読記憶媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読記憶媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され得、汎用コンピュータもしくは専用コンピュータまたは汎用プロセッサもしくは専用プロセッサによってアクセスされ得る任意の他の非一時的媒体を含み得る。また、任意の接続がコンピュータ可読記憶媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読記憶媒体の範囲内に含まれる。
【０１８０】
特許請求の範囲内を含めて本明細書で使用する場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明した例示的なステップは、本開示の範囲から逸脱することなく、条件Aと条件Bの両方に基づき得る。言い換えれば、本明細書で使用する「に基づいて」という句は、「に少なくとも部分的に基づいて」という句と同様に解釈されるべきである。
【０１８１】
添付の図では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書で使用される場合、説明は、第2の参照ラベルまたは他の後続の参照ラベルにかかわらず、同じ第1の参照ラベルを有する同様の構成要素のうちのいずれにも適用可能である。
【０１８２】
添付の図面に関して本明細書に記載した説明は、例示的な構成について説明しており、実装され得るかまたは特許請求の範囲内に入るすべての例を表すとは限らない。本明細書で使用する「例示的」という用語は、「例、事例、または例示として働くこと」を意味し、「好ましい」または「他の例よりも有利な」を意味しない。詳細な説明は、説明する技法の理解を与えるための具体的な詳細を含む。しかしながら、これらの技法は、これらの具体的な詳細なしに実践され得る。いくつかの事例では、説明する例の概念を不明瞭にすることを回避するために、よく知られている構造およびデバイスがブロック図の形態で示される。
【０１８３】
本明細書での説明は、当業者が本開示を作成または使用することを可能にするように与えられる。本開示の様々な修正は、当業者に容易に明らかになり、本明細書で定義する一般原理は、本開示の範囲から逸脱することなく他の変形形態に適用され得る。したがって、本開示は、本明細書で説明する例および設計に限定されず、本明細書で開示する原理および新規の特徴と一致する最も広い範囲を与えられるべきである。
【符号の説明】
【０１８４】
100  ワイヤレス通信システム
105、105-a、105-b  基地局
110、110-a  地理的カバレージエリア
115、115-a、115-b  UE
125  通信リンク
130  コアネットワーク
132  バックホールリンク
134  バックホールリンク
200  ワイヤレス通信システム
210  双方向リンク
215  制御情報
220  送信反復
300-a、300-b  構成
305、305-a、305-b、305-c、305-d、305-e、305-f、305-j  TTI
310、310-a、310-b、310-c、310-d、310-e  反復ウィンドウ
315-a、315-b、320-a  境界
400  プロセスフロー
500  ブロック図
505  デバイス
510  受信機
515  通信マネージャ
520  送信機
600  ブロック図
605  デバイス
610  受信機
615  通信マネージャ
620  識別構成要素
625  監視構成要素
630  送信機
700  ブロック図
705  通信マネージャ
710  識別構成要素
715  監視構成要素
720  決定構成要素
725  中断構成要素
730  パンクチャ構成要素
735  遅延構成要素
800  システム
805  デバイス
810  通信マネージャ
815  I/Oコントローラ
820  トランシーバ
825  アンテナ
830  メモリ
835  コンピュータ可読、コンピュータ実行可能コード、コード
840  プロセッサ
845  バス
900  方法
1000  方法
1100  方法
1200  方法
【図１】
2021523605.tif 000003
【図２】
2021523605.tif 000004
【図３Ａ】
2021523605.tif 000005
【図３Ｂ】
2021523605.tif 000006
【図４】
2021523605.tif 000007
【図５】
2021523605.tif 000008
【図６】
2021523605.tif 000009
【図７】
2021523605.tif 000010
【図８】
2021523605.tif 000011
【図９】
2021523605.tif 000012
【図１０】
2021523605.tif 000013
【図１１】
2021523605.tif 000014
【図１２】
2021523605.tif 000015
【国際調査報告】
2021523605.tif 000016
2021523605.tif 000017
2021523605.tif 000018
2021523605.tif 000019